(57)【要約】      （修正有）【課題】リチウム含有材料からリチウムを抽出するための方法を提供する。【解決手段】焙焼済みリチウム含有材料を、硫酸リチウムおよび／または硫酸水素リチウムなどのリチウム化合物を含む水性組成物を得るのに適した条件下で浸出させた後、硫酸リチウムおよび／または硫酸水素リチウムを含む水性組成物を電気膜プロセスに供して、水酸化リチウムを調製する。焙焼済みリチウム含有材料は、例えば、硫酸リチウムおよび／または硫酸水素リチウムを任意選択で含む水性組成物を使用して、２区画単極または双極電気分解プロセスなどの電気膜プロセスを含めた水酸化リチウムを調製するための方法から得ることができる。【選択図】なし【特許請求の範囲】
【請求項１】
水酸化リチウムを調製するための方法であって、
リチウム含有材料を、硫酸リチウムを任意選択で含む酸性水性組成物と混合し、それに
よって混合物を得るステップと、
前記混合物を、焙焼済みリチウム含有材料を得るのに適した条件下、焙焼するステップ
と、
前記焙焼済み材料を、硫酸リチウムを含む第１の水性組成物を得るのに適した条件下、
浸出させるステップと、
硫酸リチウムを含む前記第１の水性組成物を、前記硫酸リチウムから水酸化リチウムへ
の少なくとも部分的な変換に適した条件下、電気膜プロセスに供して、硫酸リチウムを含
む第２の水性組成物を得るステップと、
前記第２の水性組成物中の酸の濃度を任意選択で増大させるステップと、
硫酸リチウムを含む前記第２の水性組成物を、硫酸リチウムを任意選択で含む前記酸性
水性組成物として使用して、前記リチウム含有材料と混合し、前記混合物を得るステップ
と
を含む方法。
【請求項２】
前記酸が、前記リチウム含有材料中のリチウムの量に対して約１０％から約１００％、
化学量論的に過剰に存在する、請求項１に記載の方法。
【請求項３】
前記酸が、前記リチウム含有材料中のリチウムの量に対して約１０％から約４０％、約
２０％から約４０％、または約５５％から約６０％、化学量論的に過剰に存在する、請求
項１に記載の方法。
【請求項４】
前記混合物が、約１５０℃から約４００℃の焙焼温度で焙焼される、請求項１から３の
いずれか一項に記載の方法。
【請求項５】
前記混合物が、約２００℃から約３００℃の焙焼温度で焙焼される、請求項１から３の
いずれか一項に記載の方法。
【請求項６】
前記混合物が、前記焙焼温度で、約１０分から約２４時間にわたり焙焼される、請求項
１から５のいずれか一項に記載の方法。
【請求項７】
前記混合物が、前記焙焼温度で、約１５分から約２時間にわたり焙焼される、請求項１
から５のいずれか一項に記載の方法。
【請求項８】
前記リチウム含有材料が、リチウム含有鉱である、請求項１から７のいずれか一項に記
載の方法。
【請求項９】
前記リチウム含有鉱が、β−リシア輝石またはジャダライトを含む、請求項８に記載の
方法。
【請求項１０】
前記リチウム含有鉱が、β−リシア輝石を含む、請求項８に記載の方法。
【請求項１１】
前記焙焼済みリチウム含有材料が水で浸出されて、前記硫酸リチウムを含む前記第１の
水性組成物が得られる、請求項１から１０のいずれか一項に記載の方法。
【請求項１２】
前記リチウム含有材料が、浸出可能な金属不純物をさらに含み、硫酸リチウムを含む前
記第１の水性組成物が、前記浸出可能な金属不純物の少なくとも一部を、前記硫酸リチウ
ムを含む前記第１の水性組成物から除去するのに適した条件下でさらに処理される、請求
項１から１１のいずれか一項に記載の方法。
【請求項１３】
水酸化リチウムを調製するための方法であって、
硫酸リチウムを含む第１の水性組成物を、前記硫酸リチウムから水酸化リチウムへの少
なくとも部分的な変換に適した条件下、電気膜プロセスに供して、硫酸リチウムを含む第
２の水性組成物を得るステップと、
前記第２の水性組成物中の酸の濃度を任意選択で増大させるステップと、
硫酸リチウムを含む前記第２の水性組成物を、リチウム含有材料と反応させるために使
用するステップと
を含む方法。
【請求項１４】
硫酸リチウムを前記第２の水性組成物から回収し、前記硫酸リチウムを前記電気膜プロ
セスで再使用するステップをさらに含む、請求項１から１３のいずれか一項に記載の方法
。
【請求項１５】
前記第２の水性組成物を、前記リチウム含有材料と反応させるために使用する前に、硫
酸リチウムを前記第２の水性組成物から少なくとも部分的に回収し、前記硫酸リチウムを
前記電気膜プロセスで再使用するステップをさらに含む、請求項１から１３のいずれか一
項に記載の方法。
【請求項１６】
水酸化リチウムを調製するための方法であって、
硫酸リチウムを含む第１の水性組成物を、前記硫酸リチウムから水酸化リチウムへの少
なくとも部分的な変換に適した条件下、電気膜プロセスに供して、硫酸リチウムを含む第
２の水性組成物を得るステップと、
前記第２の水性組成物中の酸の濃度を任意選択で増大させるステップと、
硫酸リチウムを前記第２の水性組成物から回収し、それを前記電気膜プロセスで再使用
するステップと
を含む方法。
【請求項１７】
前記第２の水性組成物中の酸の濃度を、前記第２の水性組成物から水を除去することに
よって増大させるステップを含む、請求項１から１６のいずれか一項に記載の方法。
【請求項１８】
前記酸の濃度を増大させるステップが、前記第２の水性組成物を加熱することによって
実施される、請求項１７に記載の方法。
【請求項１９】
前記第２の水性組成物が、約１００℃から約３００℃の温度で加熱される、請求項１８
に記載の方法。
【請求項２０】
前記第２の水性組成物が、約１１０℃から約１３０℃の温度で加熱される、請求項１８
に記載の方法。
【請求項２１】
前記第２の水性組成物が、約１１５℃から約１２５℃の温度で加熱される、請求項１８
に記載の方法。
【請求項２２】
前記第２の水性組成物が、減圧下または真空中で加熱される、請求項１９から２１のい
ずれか一項に記載の方法。
【請求項２３】
前記第２の水性組成物が、大気圧で加熱される、請求項１９から２１のいずれか一項に
記載の方法。
【請求項２４】
前記酸の濃度を増大させるステップが、膜脱水プロセスによって、逆浸透膜プロセスに
よって、またはいくらかの酸を添加することによって実施される、請求項１７に記載の方
法。
【請求項２５】
水を前記第２の水性組成物から除去するステップが、硫酸リチウム一水和物の沈殿を引
き起こす、請求項１７から２４のいずれか一項に記載の方法。
【請求項２６】
水を前記第２の水性組成物から除去するステップが、硫酸リチウム一水和物の実質的に
選択的な沈殿を引き起こす、請求項１７から２４のいずれか一項に記載の方法。
【請求項２７】
水を前記第２の水性組成物から除去するステップが、硫酸リチウム一水和物の結晶化を
引き起こす、請求項１７から２４のいずれか一項に記載の方法。
【請求項２８】
水を前記第２の水性組成物から除去することによって、前記第２の水性組成物中の酸の
濃度を増大させ、それによって硫酸リチウムを実質的に選択的に沈殿させるステップを含
む、請求項１から１６のいずれか一項に記載の方法。
【請求項２９】
固液分離を実施して（例えば、約１５℃から約１３０℃、または約２５℃から約１２５
℃の温度で）、前記硫酸リチウムを回収し、それによって前記硫酸リチウムおよび酸性組
成物を得るステップをさらに含む、請求項２５から２８のいずれか一項に記載の方法。
【請求項３０】
固液分離を実施して（例えば、約１５℃から約１３０℃、または約２５℃から約１２５
℃の温度で）、前記硫酸リチウムを回収し、それによって、前記硫酸リチウム、およびリ
チウム含有材料と混合するために使用するのに有効な酸性水溶液を得るステップをさらに
含む、請求項２５から２８のいずれか一項に記載の方法。
【請求項３１】
前記プロセスが、硫酸リチウムを硫酸リチウム一水和物の形で前記第２の水性組成物か
ら回収し、前記硫酸リチウムを前記電気膜プロセスで再使用するステップを含む、請求項
１から３０のいずれか一項に記載の方法。
【請求項３２】
前記酸がＨ２ＳＯ４である、請求項１から３１のいずれか一項に記載の方法。
【請求項３３】
硫酸リチウムを含む電気膜プロセス水性組成物を処理するための方法であって、前記プ
ロセスが、硫酸リチウム一水和物を実質的に選択的に沈殿させるのに適した条件下、水を
前記電気膜プロセス水性組成物から除去するステップを含む方法。
【請求項３４】
水が、前記電気膜プロセス水性組成物を約１００℃から約１２５℃または約１００℃か
ら約１３５℃の温度で加熱することによって除去される、請求項３３に記載の方法。
【請求項３５】
前記第２の水性組成物が、大気圧で加熱される、請求項３４に記載の方法。
【請求項３６】
前記酸の濃度を増大させるステップが、膜脱水プロセスによって実施される、請求項３
３に記載の方法。
【請求項３７】
固液分離を実施して（例えば、約１５℃から約１３０℃、または約２５℃から約１２５
℃の温度で）、前記硫酸リチウムを回収し、それによって前記硫酸リチウムおよび酸性組
成物を得るステップをさらに含む、請求項３３から３６のいずれか一項に記載の方法。
【請求項３８】
固液分離を実施して（例えば、約１５℃から約１３０℃、または約２５℃から約１２５
℃の温度で）、前記硫酸リチウムを回収し、それによって、前記硫酸リチウム、およびリ
チウム含有材料と混合するために使用するのに有効な酸性水溶液を得るステップをさらに
含む、請求項３３から３６のいずれか一項に記載の方法。
【請求項３９】
前記得られた硫酸リチウムを前記電気膜プロセスで再使用するステップをさらに含む、
請求項３３から３８のいずれか一項に記載の方法。
【請求項４０】
アルカリ含有材料からアルカリを抽出するための方法であって、アルカリ硫酸水素塩焙
焼済みアルカリ含有材料を、アルカリ化合物を含む水性組成物を得るのに適した条件下で
浸出させるステップを含む方法。
【請求項４１】
リチウム含有材料からリチウムを抽出するための方法であって、硫酸水素リチウム焙焼
済みリチウム含有材料を、リチウム化合物を含む水性組成物を得るのに適した条件下で浸
出させるステップを含む方法。
【請求項４２】
前記硫酸水素リチウム焙焼済みリチウム含有材料が、
前記リチウム含有材料を、硫酸水素リチウムを含む水性組成物と混合し、それによって
混合物を得るステップと、
前記混合物を、前記硫酸水素リチウム焙焼済みリチウム含有材料を得るのに適した条件
下で焙焼するステップと
を含む方法によって調製される、請求項３９に記載の方法。
【請求項４３】
硫酸水素リチウムを含む前記水性組成物中の前記硫酸水素リチウムと、前記リチウム含
有材料中のリチウムとのモル比が、約０．５：１から約４：１である、請求項４０に記載
の方法。
【請求項４４】
硫酸水素リチウムを含む前記水性組成物が、硫酸をさらに含む、請求項４１から４３の
いずれか一項に記載の方法。
【請求項４５】
硫酸水素リチウムを含む前記水性組成物中の前記硫酸と、前記リチウム含有材料中のリ
チウムとのモル比が、約０．５：１から約４：１である、請求項４４に記載の方法。
【請求項４６】
前記硫酸が、前記リチウム含有材料中のリチウムの量に対して約１０％から約４０％、
約２０％から約４０％、または約５５％から約６０％、化学量論的に過剰に存在する、請
求項４４に記載の方法。
【請求項４７】
前記混合物が、約２００℃から約３２５℃の焙焼温度で焙焼される、請求項４２から４
６のいずれか一項に記載の方法。
【請求項４８】
前記混合物が、約１０分から約２４時間にわたり、前記焙焼温度で焙焼される、請求項
４２から４７のいずれか一項に記載の方法。
【請求項４９】
前記リチウム含有材料が、リチウム含有鉱である、請求項４１から４８のいずれか一項
に記載の方法。
【請求項５０】
前記リチウム含有鉱が、β−リシア輝石またはジャダライトを含む、請求項４９に記載
の方法。
【請求項５１】
前記硫酸水素リチウム焙焼済みリチウム含有材料が水で浸出されて、前記リチウム化合
物を含む前記水性組成物が得られる、請求項４１から５０のいずれか一項に記載の方法。
【請求項５２】
前記リチウム含有材料が、浸出可能な金属不純物をさらに含み、リチウム化合物を含む
前記水性組成物が、前記浸出可能な金属不純物の少なくとも一部を、リチウム化合物を含
む前記水性組成物から除去するのに適した条件下でさらに処理される、請求項４１から５
１のいずれか一項に記載の方法。
【請求項５３】
リチウム化合物を含む前記水性組成物が、硫酸リチウムおよび／または硫酸水素リチウ
ムを含む水性組成物である、請求項４１から５２のいずれか一項に記載の方法。
【請求項５４】
硫酸リチウムおよび／または硫酸水素リチウムを含む前記水性組成物が、硫酸リチウム
を含む水性組成物である、請求項５３に記載の方法。
【請求項５５】
水酸化リチウムを調製するための方法であって、
請求項４０から５４のいずれか一項による、リチウム含有材料からリチウムを抽出する
ための方法によって、硫酸リチウムおよび／または硫酸水素リチウムを含む第１の水性組
成物を得るステップと、
硫酸リチウムおよび／または硫酸水素リチウムを含む前記第１の水性組成物を、前記硫
酸リチウムおよび／または硫酸水素リチウムから水酸化リチウムへの少なくとも部分的な
変換に適した条件下、電気膜プロセスに供するステップと
を含む方法。
【請求項５６】
前記電気膜プロセス中、前記硫酸リチウムおよび／または硫酸水素リチウム組成物のｐ
Ｈが酸性である、請求項１から３９および５５のいずれか一項に記載の方法。
【請求項５７】
前記電気膜プロセスが、２区画単極もしくは双極膜電気分解プロセス、３区画単極もし
くは双極膜電気分解プロセス、または２区画単極もしくは双極膜電気分解プロセスと３区
画単極もしくは双極膜電気分解プロセスとの組合せを含む、請求項１から３９および５５
のいずれか一項に記載の方法。
【請求項５８】
前記電気膜プロセスが、２区画単極または双極膜電気分解プロセスを含む、請求項５６
に記載の方法。
【請求項５９】
前記電気膜プロセスが、３区画単極または双極膜電気分解プロセスを含む、請求項５６
に記載の方法。
【請求項６０】
前記電気膜プロセスが、２区画単極または双極膜電気分解プロセスと３区画単極または
双極膜電気分解プロセスとの組合せを含む、請求項５６に記載の方法。
【請求項６１】
前記電気膜プロセスが、３区画単極または双極膜電気分解プロセスを含み、前記３区画
単極または双極膜電気分解プロセス中に、前記ｐＨが、約２から約４の値で少なくとも実
質的に維持される、請求項５６に記載の方法。
【請求項６２】
前記電気膜プロセスが、２区画単極または双極膜電気分解プロセスを含み、前記硫酸リ
チウムおよび／または硫酸水素リチウムから水酸化リチウムへの変換は、前記硫酸リチウ
ムおよび／または硫酸水素リチウム組成物の前記ｐＨが約０．１から約２．０、約０．２
から約１．０、または約０．４から約１．０の値を有するまで進行する、請求項５６に記
載の方法。
【請求項６３】
前記電気膜プロセス中、前記硫酸リチウムおよび／または硫酸水素リチウム組成物のｐ
Ｈが塩基性である、請求項１から３９および５５のいずれか一項に記載の方法。
【請求項６４】
前記電気膜プロセスが、２区画単極もしくは双極膜電気分解プロセス、３区画単極もし
くは双極膜電気分解プロセス、または２区画単極もしくは双極膜電気分解プロセスと３区
画単極もしくは双極膜電気分解プロセスとの組合せを含む、請求項６３に記載の方法。
【請求項６５】
前記電気膜プロセスが、２区画単極または双極膜電気分解プロセスを含む、請求項６３
に記載の方法。
【請求項６６】
前記電気膜プロセスが、３区画単極または双極膜電気分解プロセスを含む、請求項６３
に記載の方法。
【請求項６７】
前記電気膜プロセスが、２区画単極または双極膜電気分解プロセスと３区画単極または
双極膜電気分解プロセスとの組合せを含む、請求項６３に記載の方法。
【請求項６８】
前記電気膜プロセスが、３区画単極または双極膜電気分解プロセスを含み、前記３区画
単極または双極膜電気分解プロセス中、前記ｐＨが約１０から約１２の値でまたは約１０
．５から約１２．５の値で少なくとも実質的に維持される、請求項６３に記載の方法。
【請求項６９】
硫酸リチウムおよび／または硫酸水素リチウムを含む前記第１の水性組成物を、前記硫
酸リチウムおよび／または硫酸水素リチウムから水酸化リチウムへの少なくとも部分的な
変換に適した条件下、前記電気膜プロセスに供して、硫酸リチウムおよび／または硫酸水
素リチウムを含む第２の水性組成物を得るステップと、
請求項４２による方法において、硫酸水素リチウムを含む前記水性組成物として、硫酸
リチウムおよび／または硫酸水素リチウムを含む前記第２の水性組成物を使用するステッ
プと
を含む、請求項５５から６８のいずれか一項に記載の方法。
【請求項７０】
硫酸リチウムおよび／または硫酸水素リチウムを含む前記第１の水性組成物を、硫酸リ
チウムおよび／または硫酸水素リチウムを含む第２の水性組成物を得るのに適した条件下
、２区画単極または双極膜電気分解プロセスに供するステップと、
請求項４２による方法において、硫酸水素リチウムを含む前記水性組成物として、硫酸
リチウムおよび／または硫酸水素リチウムを含む前記第２の水性組成物を使用するステッ
プと
を含む、請求項６９に記載の方法。
【請求項７１】
硫酸リチウムおよび／または硫酸水素リチウムを含む前記第２の水性組成物中の前記硫
酸水素リチウムと前記硫酸リチウムとのモル比が、少なくとも約３：２、少なくとも約９
：１、少なくとも約１９：１、または少なくとも約９９：１である、請求項６９または７
０に記載の方法。
【請求項７２】
硫酸リチウムおよび／または硫酸水素リチウムを含む前記第２の水性組成物中の前記硫
酸水素リチウムと前記硫酸リチウムとのモル比が、約３：２から約９９：１である、請求
項６０または７０に記載の方法。
【請求項７３】
硫酸リチウムおよび／または硫酸水素リチウムを含む前記第２の水性組成物が、硫酸水
素リチウムを含み、前記方法が、硫酸リチウムおよび／または硫酸水素リチウムを含む前
記第２の水性組成物の一部に、前記硫酸水素リチウムの少なくとも一部を硫酸リチウムに
変換するのに適した条件下で塩基を添加するステップをさらに含む、請求項６９から７２
のいずれか一項に記載の方法。
【請求項７４】
前記塩基が、水酸化カルシウム、酸化カルシウム、および／または炭酸カルシウムを含
む、請求項７３に記載の方法。
【請求項７５】
前記電気膜プロセスが、２区画単極または双極膜電気分解プロセスを含み、前記２区画
単極または双極膜電気分解プロセス中、電圧が、約４Ｖから約５Ｖの値で少なくとも実質
的に維持される、請求項１から３９および５５から７４のいずれか一項に記載の方法。
【請求項７６】
前記電気膜プロセスが、２区画単極または双極膜電気分解プロセスを含み、前記２区画
単極または双極膜電気分解プロセス中、ＬｉＯＨ電流効率が、約６５％から約８５％の値
で少なくとも実質的に維持される、請求項１から３９および５５から７４のいずれか一項
に記載の方法。
【請求項７７】
硫酸リチウムおよび／または硫酸水素リチウムを含む前記第１の水性組成物中のリチウ
ム濃度が、溶液１リットル当たりリチウム約２０ｇから溶液１リットル当たりリチウム約
４０ｇの値で、または溶液１リットル当たりリチウム約３０ｇから溶液１リットル当たり
リチウム約３３ｇの値で、少なくとも実質的に維持される、請求項１から３９および５５
から７６のいずれか一項に記載の方法。
【請求項７８】
硫酸リチウムおよび／または硫酸水素リチウムを含む前記第２の水性組成物中のリチウ
ム濃度が、溶液１リットル当たりリチウム約２０ｇから溶液１リットル当たりリチウム約
４０ｇ、溶液１リットル当たりリチウム約１０ｇから溶液１リットル当たりリチウム約２
０ｇ、溶液１リットル当たりリチウム約５ｇから溶液１リットル当たりリチウム約４０ｇ
、または溶液１リットル当たりリチウム約１２ｇから溶液１リットル当たりリチウム約１
８ｇの値で、少なくとも実質的に維持される、請求項１から３９および６９から７６のい
ずれか一項に記載の方法。
【請求項７９】
前記電気膜プロセスが、２区画単極または双極膜電気分解プロセスを含み、前記２区画
単極または双極膜電気分解プロセス中、前記水酸化リチウムは、約２Ｍから約７Ｍ、約２
Ｍから約４Ｍ、または約２．５Ｍから約３．５Ｍの水酸化リチウム濃度で少なくとも実質
的に維持される水溶液中で生成される、請求項１から３９および５５から６４のいずれか
一項に記載の方法。
【請求項８０】
前記電気膜プロセスが、２区画単極または双極膜電気分解プロセスを含み、前記２区画
単極または双極膜電気分解プロセス中、前記水酸化リチウムは、約４０℃から約１００℃
、または約６０℃から約１００℃の温度で少なくとも実質的に維持される水溶液中で生成
される、請求項７９に記載の方法。
【請求項８１】
水酸化リチウムを調製するための方法であって、
リチウム含有材料を、硫酸水素リチウムを含む水性組成物と混合し、それによって混合
物を得るステップと、
前記混合物を、硫酸水素リチウム焙焼済みリチウム含有材料を得るのに適した条件下で
焙焼するステップと、
前記硫酸水素リチウム焙焼済みリチウム含有材料を、硫酸リチウムおよび／または硫酸
水素リチウムを含む第１の水性組成物を得るのに適した条件下で浸出させるステップと、
硫酸リチウムおよび／または硫酸水素リチウムを含む前記第１の水性組成物を、前記硫
酸リチウムおよび／または硫酸水素リチウムから水酸化リチウムへの少なくとも部分的な
変換に適した条件下、電気膜プロセスに供して、硫酸リチウムおよび／または硫酸水素リ
チウムを含む第２の水性組成物を得るステップと、
硫酸リチウムおよび／または硫酸水素リチウムを含む前記第２の水性組成物を、硫酸水
素リチウムを含む前記水性組成物として使用して、前記リチウム含有材料と混合し、前記
混合物を得るステップと
を含む方法。
【請求項８２】
硫酸水素リチウムを含む前記水性組成物中の前記硫酸水素リチウムと、前記リチウム含
有材料中のリチウムとのモル比が、約０．５：１から約４：１である、請求項８１に記載
の方法。
【請求項８３】
硫酸水素リチウムを含む前記水性組成物中の前記硫酸水素リチウムと、前記リチウム含
有材料中のリチウムとのモル比が、約１：１から約２：１である、請求項８１に記載の方
法。
【請求項８４】
硫酸水素リチウムを含む前記水性組成物が、硫酸をさらに含む、請求項８１から８３の
いずれか一項に記載の方法。
【請求項８５】
硫酸水素リチウムを含む前記水性組成物中の前記硫酸と、前記リチウム含有材料中のリ
チウムとのモル比が、約０．５：１から約４：１、約１：１から約２：１、または約１．
１：１から約１．２５：１である、請求項８４に記載の方法。
【請求項８６】
前記硫酸が、前記リチウム含有材料中のリチウムの量に対して約３０％から約１００％
、化学量論的に過剰に存在する、請求項８５に記載の方法。
【請求項８７】
前記硫酸が、前記リチウム含有材料中のリチウムの量に対して約５５％から約６０％、
化学量論的に過剰に存在する、請求項８５に記載の方法。
【請求項８８】
前記混合物が、約１５０℃から約４００℃、または約２００℃から約３５０℃の焙焼温
度で焙焼される、請求項８１から８７のいずれか一項に記載の方法。
【請求項８９】
前記混合物が、前記焙焼温度で、約１０分から約２４時間にわたり焙焼される、請求項
８８に記載の方法。
【請求項９０】
前記リチウム含有材料が、リチウム含有鉱である、請求項８１から８９のいずれか一項
に記載の方法。
【請求項９１】
前記リチウム含有鉱が、β−リシア輝石またはジャダライトを含む、請求項９０に記載
の方法。
【請求項９２】
前記リチウム含有鉱が、β−リシア輝石を含む、請求項９０に記載の方法。
【請求項９３】
前記硫酸水素リチウム焙焼済みリチウム含有材料が水で浸出されて、硫酸リチウムおよ
び／または硫酸水素リチウムを含む前記第１の水性組成物が得られる、請求項８１から９
２のいずれか一項に記載の方法。
【請求項９４】
前記リチウム含有材料が、浸出可能な金属不純物をさらに含み、硫酸リチウムおよび／
または硫酸水素リチウムを含む前記第１の水性組成物が、前記浸出可能な金属不純物の少
なくとも一部を、硫酸リチウムおよび／または硫酸水素リチウムを含む前記第１の水性組
成物から除去するのに適した条件下でさらに処理される、請求項８１から９３のいずれか
一項に記載の方法。
【請求項９５】
前記電気膜プロセス中、硫酸リチウムおよび／または硫酸水素リチウムを含む前記第１
の水性組成物のｐＨが酸性である、請求項１から３９および９４のいずれか一項に記載の
方法。
【請求項９６】
前記電気膜プロセスが、２区画単極もしくは双極膜電気分解プロセス、３区画単極もし
くは双極膜電気分解プロセス、または２区画単極もしくは双極膜電気分解プロセスと３区
画単極もしくは双極膜電気分解プロセスとの組合せを含む、請求項９５に記載の方法。
【請求項９７】
前記電気膜プロセスが、２区画単極または双極膜電気分解プロセスを含む、請求項９５
に記載の方法。
【請求項９８】
前記電気膜プロセスが、３区画単極または双極膜電気分解プロセスを含む、請求項９５
に記載の方法。
【請求項９９】
前記電気膜プロセスが、２区画単極または双極膜電気分解プロセスと３区画単極または
双極膜電気分解プロセスとの組合せを含む、請求項９５に記載の方法。
【請求項１００】
前記電気膜プロセスが、３区画単極または双極膜電気分解プロセスを含み、前記３区画
単極または双極膜電気分解プロセス中に、前記ｐＨが、約２から約４の値で少なくとも実
質的に維持される、請求項９５に記載の方法。
【請求項１０１】
前記電気膜プロセスが、２区画単極または双極膜電気分解プロセスを含み、前記硫酸リ
チウムおよび／または硫酸水素リチウムから水酸化リチウムへの変換は、硫酸リチウムお
よび／または硫酸水素リチウムを含む前記第１の水性組成物の前記ｐＨが、約０．１から
約２．０、約０．２から約１．５、または約０．４から約１．０の値を有するまで進行す
る、請求項９５に記載の方法。
【請求項１０２】
前記電気膜プロセス中、硫酸リチウムおよび／または硫酸水素リチウムを含む前記第１
の水性組成物のｐＨが塩基性である、請求項１から３９および９５のいずれか一項に記載
の方法。
【請求項１０３】
前記電気膜プロセスが、２区画単極もしくは双極膜電気分解プロセス、３区画単極もし
くは双極膜電気分解プロセス、または２区画単極もしくは双極膜電気分解プロセスと３区
画単極もしくは双極膜電気分解プロセスとの組合せを含む、請求項１０２に記載の方法。
【請求項１０４】
前記電気膜プロセスが、２区画単極または双極膜電気分解プロセスを含む、請求項１０
２に記載の方法。
【請求項１０５】
前記電気膜プロセスが、３区画単極または双極膜電気分解プロセスを含む、請求項１０
２に記載の方法。
【請求項１０６】
前記電気膜プロセスが、２区画単極または双極膜電気分解プロセスと３区画単極または
双極膜電気分解プロセスとの組合せを含む、請求項１０２に記載の方法。
【請求項１０７】
前記電気膜プロセスが、３区画単極または双極膜電気分解プロセスを含み、前記３区画
単極または双極膜電気分解プロセス中、前記ｐＨが約１０から約１２の値でまたは約１０
．５から約１２．５の値で少なくとも実質的に維持される、請求項１０２に記載の方法。
【請求項１０８】
硫酸リチウムおよび／または硫酸水素リチウムを含む前記第１の水性組成物が、硫酸リ
チウムを含む水性組成物である、請求項８１から１０７のいずれか一項に記載の方法。
【請求項１０９】
硫酸リチウムおよび／または硫酸水素リチウムを含む前記第１の水性組成物中の前記硫
酸リチウムと前記硫酸水素リチウムとのモル比が、少なくとも約９：１、少なくとも約１
９：１、または少なくとも約９９：１である、請求項８１から１０７のいずれか一項に記
載の方法。
【請求項１１０】
硫酸リチウムおよび／または硫酸水素リチウムを含む前記第２の水性組成物中の前記硫
酸水素リチウムと前記硫酸リチウムとのモル比が、少なくとも約３：２、少なくとも約９
：１、少なくとも約１９：１、または少なくとも約９９：１である、請求項８１から１０
９のいずれか一項に記載の方法。
【請求項１１１】
硫酸リチウムおよび／または硫酸水素リチウムを含む前記第２の水性組成物が、硫酸水
素リチウムを含み、前記方法が、硫酸リチウムおよび／または硫酸水素リチウムを含む前
記第２の水性組成物の一部に、前記硫酸水素リチウムの少なくとも一部を硫酸リチウムに
変換するのに適した条件下で塩基を添加するステップをさらに含む、請求項８１から１１
０のいずれか一項に記載の方法。
【請求項１１２】
前記塩基が水酸化カルシウムを含む、請求項１１１に記載の方法。
【請求項１１３】
前記電気膜プロセスが、２区画単極または双極膜電気分解プロセスを含み、前記２区画
単極または双極膜電気分解プロセス中、電圧が、約４Ｖから約５Ｖの値で少なくとも実質
的に維持される、請求項１から３９および８１から１１２のいずれか一項に記載の方法。
【請求項１１４】
前記電気膜プロセスが、２区画単極または双極膜電気分解プロセスを含み、前記２区画
単極または双極膜電気分解プロセス中、ＬｉＯＨ電流効率が、約３０から約５０％、約３
０から約４０％、５０％から約９５％、約５５％から約９０％、または約６５％から約８
５％の値で少なくとも実質的に維持される、請求項１から３９および８１から１１２のい
ずれか一項に記載の方法。
【請求項１１５】
硫酸リチウムおよび／または硫酸水素リチウムを含む前記第１の水性組成物中のリチウ
ム濃度が、溶液１リットル当たりリチウム約２０ｇから溶液１リットル当たりリチウム約
４０ｇの値で、少なくとも実質的に維持される、請求項８１から１１４のいずれか一項に
記載の方法。
【請求項１１６】
硫酸リチウムおよび／または硫酸水素リチウムを含む前記第２の水性組成物中のリチウ
ム濃度が、溶液１リットル当たりリチウム約２０ｇから溶液１リットル当たりリチウム約
４０ｇ、溶液１リットル当たりリチウム約１０ｇから溶液１リットル当たりリチウム約２
０ｇ、溶液１リットル当たりリチウム約５ｇから溶液１リットル当たりリチウム約４０ｇ
、または溶液１リットル当たりリチウム約１２ｇから溶液１リットル当たりリチウム約１
８ｇの値で、少なくとも実質的に維持される、請求項８１から１１５のいずれか一項に記
載の方法。
【請求項１１７】
前記電気膜プロセスが、２区画単極または双極膜電気分解プロセスを含み、前記２区画
単極または双極膜電気分解プロセス中、前記水酸化リチウムは、約２Ｍから約７Ｍ、約２
Ｍから約４Ｍ、または約２．５Ｍから約３．５Ｍの水酸化リチウム濃度で少なくとも実質
的に維持される水溶液中で生成される、請求項８１から１１６のいずれか一項に記載の方
法。
【請求項１１８】
前記電気膜プロセスが、２区画単極または双極膜電気分解プロセスを含み、前記２区画
単極または双極膜電気分解プロセス中、前記水酸化リチウムは、約３．０Ｍの水酸化リチ
ウム濃度で少なくとも実質的に維持される水溶液中で生成される、請求項８１から１１６
のいずれか一項に記載の方法。
【請求項１１９】
前記電気膜プロセスが、２区画単極または双極膜電気分解プロセスを含み、前記２区画
単極または双極膜電気分解プロセス中、前記水酸化リチウムは、約６０℃から約１００℃
の温度で少なくとも実質的に維持される水溶液中で生成される、請求項１１７または１１
８に記載の方法。
【請求項１２０】
前記リチウム含有材料を、硫酸水素リチウムを含む前記水性組成物と混合し、それによ
って前記混合物を得るステップと、
前記混合物を、前記硫酸水素リチウム焙焼済みリチウム含有材料を得るのに適した条件
下、焙焼するステップと、
前記硫酸水素リチウム焙焼済みリチウム含有材料を、硫酸リチウムおよび／または硫酸
水素リチウムを含む前記第１の水性組成物を得るのに適した条件下、浸出させるステップ
と、
硫酸リチウムおよび／または硫酸水素リチウムを含む前記第１の水性組成物を精製する
ステップと、
硫酸リチウムおよび／または硫酸水素リチウムを含む前記精製された第１の水性組成物
を、前記硫酸リチウムおよび／または硫酸水素リチウムから水酸化リチウムへの少なくと
も部分的な変換に適した条件下、前記電気膜プロセスに供して、硫酸リチウムおよび／ま
たは硫酸水素リチウムを含む前記第２の水性組成物を得るステップと、
硫酸リチウムおよび／または硫酸水素リチウムを含む前記第２の水性組成物を、硫酸水
素リチウムを含む前記水性組成物として使用して、前記リチウム含有材料と混合し、前記
混合物を得るステップと
を含む、請求項８１から１１９のいずれか一項に記載の方法。
【請求項１２１】
前記焙焼するステップおよび前記浸出させるステップが、単一装置内で実施される、請
求項１から３９および４２から１２０のいずれか一項に記載の方法。
【請求項１２２】
前記焙焼するステップが第１の装置内で実施され、前記浸出させるステップが第２の装
置内で実施される、請求項１から３９および４２から１２０のいずれか一項に記載の方法
。
【請求項１２３】
硫酸リチウムおよび／または硫酸水素リチウムを含む前記第１の水性組成物を、約３０
から約６０％の変換率で前記硫酸リチウムおよび／または硫酸水素リチウムから水酸化リ
チウムに部分変換するのに適した条件下で電気膜プロセスに供して、硫酸リチウムおよび
／または硫酸水素リチウムを含む第２の水性組成物を得るステップと、硫酸リチウムおよ
び／または硫酸水素リチウムを含む前記第２の水性組成物を、硫酸水素リチウムを含む前
記水性組成物として使用して、前記リチウム含有材料と混合し、前記混合物を得るステッ
プとを含む、請求項１から１２２のいずれか一項に記載の方法。
【請求項１２４】
硫酸リチウムおよび／または硫酸水素リチウムを含む前記第１の水性組成物を、約４０
から約６０％の変換率で前記硫酸リチウムおよび／または硫酸水素リチウムから水酸化リ
チウムに部分変換するのに適した条件下で電気膜プロセスに供して、硫酸リチウムおよび
／または硫酸水素リチウムを含む第２の水性組成物を得るステップと、硫酸リチウムおよ
び／または硫酸水素リチウムを含む前記第２の水性組成物を、硫酸水素リチウムを含む前
記水性組成物として使用して、前記リチウム含有材料と混合し、前記混合物を得るステッ
プとを含む、請求項１から１２２のいずれか一項に記載の方法。
【請求項１２５】
硫酸リチウムおよび／または硫酸水素リチウムを含む前記第１の水性組成物を、約４５
から約５５％の変換率で前記硫酸リチウムおよび／または硫酸水素リチウムから水酸化リ
チウムに部分変換するのに適した条件下で電気膜プロセスに供して、硫酸リチウムおよび
／または硫酸水素リチウムを含む第２の水性組成物を得るステップと、硫酸リチウムおよ
び／または硫酸水素リチウムを含む前記第２の水性組成物を、硫酸水素リチウムを含む前
記水性組成物として使用して、前記リチウム含有材料と混合し、前記混合物を得るステッ
プとを含む、請求項１から１２２のいずれか一項に記載の方法。
【請求項１２６】
硫酸リチウムおよび／または硫酸水素リチウムを含む前記第１の水性組成物を、約４０
から約５０％の変換率で前記硫酸リチウムおよび／または硫酸水素リチウムから水酸化リ
チウムに部分変換するのに適した条件下で電気膜プロセスに供して、硫酸リチウムおよび
／または硫酸水素リチウムを含む第２の水性組成物を得るステップと、硫酸リチウムおよ
び／または硫酸水素リチウムを含む前記第２の水性組成物を、硫酸水素リチウムを含む前
記水性組成物として使用して、前記リチウム含有材料と混合し、前記混合物を得るステッ
プとを含む、請求項１から１２２のいずれか一項に記載の方法。
【請求項１２７】
硫酸リチウムを含む前記第１の水性組成物を、約３０から約６０％の変換率で前記硫酸
リチウムから水酸化リチウムに部分変換するのに適した条件下で電気膜プロセスに供して
、硫酸水素リチウムを含む第２の水性組成物を得るステップと、硫酸水素リチウムを含む
前記第２の水性組成物を、硫酸水素リチウムを含む前記水性組成物として使用して、前記
リチウム含有材料と混合し、前記混合物を得るステップとを含む、請求項１から１２２の
いずれか一項に記載の方法。
【請求項１２８】
硫酸リチウムを含む前記第１の水性組成物を、約４０から約６０％の変換率で前記硫酸
リチウムから水酸化リチウムに部分変換するのに適した条件下で電気膜プロセスに供して
、硫酸水素リチウムを含む第２の水性組成物を得るステップと、硫酸水素リチウムを含む
前記第２の水性組成物を、硫酸水素リチウムを含む前記水性組成物として使用して、前記
リチウム含有材料と混合し、前記混合物を得るステップとを含む、請求項１から１２２の
いずれか一項に記載の方法。
【請求項１２９】
硫酸リチウムを含む前記第１の水性組成物を、約４５から約５５％の変換率で前記硫酸
リチウムから水酸化リチウムに部分変換するのに適した条件下で電気膜プロセスに供して
、硫酸水素リチウムを含む第２の水性組成物を得るステップと、硫酸水素リチウムを含む
前記第２の水性組成物を、硫酸水素リチウムを含む前記水性組成物として使用して、前記
リチウム含有材料と混合し、前記混合物を得るステップとを含む、請求項１から１２２の
いずれか一項に記載の方法。
【請求項１３０】
硫酸リチウムを含む前記第１の水性組成物を、約４０から約５０％の変換率で前記硫酸
リチウムから水酸化リチウムに部分変換するのに適した条件下で電気膜プロセスに供して
、硫酸水素リチウムを含む第２の水性組成物を得るステップと、硫酸水素リチウムを含む
前記第２の水性組成物を、硫酸水素リチウムを含む前記水性組成物として使用して、前記
リチウム含有材料と混合し、前記混合物を得るステップとを含む、請求項１から１２２の
いずれか一項に記載の方法。
【請求項１３１】
前記電気膜プロセスが、２区画膜電気分解プロセスで実施される、請求項１から１３０
のいずれか一項に記載の方法。
【請求項１３２】
前記電気膜プロセスが、電気分解プロセスである、請求項１から１３０のいずれか一項
に記載の方法。
【請求項１３３】
前記電気膜プロセスが、電気透析プロセスである、請求項１から１３１のいずれか一項
に記載の方法。
【発明の詳細な説明】
【技術分野】
【０００１】
本出願は、参照によりその全体が本明細書に組み込まれる、２０１４年２月２４日に出
願された米国特許出願第６１／９４３，７００号明細書の優先権を主張する。
【０００２】
本開示は、リチウム含有材料からリチウムを抽出するための方法に関する。
【背景技術】
【０００３】
酸焙焼済みリチウム含有材料を浸出させるステップを含む、リチウム含有材料からリチ
ウムを抽出するための方法は、公知である。例えば、そのような方法では、リチウム含有
材料が硫酸などの酸の存在下で焙焼されることにより、酸焙焼済みリチウム含有材料が得
られ、次いでそこからリチウムを抽出することができる。
【発明の概要】
【０００４】
本開示の態様によれば、リチウムをリチウム含有材料から抽出するための方法であって
、硫酸水素リチウム焙焼済みリチウム含有材料を、リチウム化合物を含む水性組成物を得
るのに適した条件下、浸出させるステップを含む方法が提供される。
【０００５】
本開示の別の態様によれば、水酸化リチウムを調製するための方法であって：
本開示の方法による、リチウム含有材料からリチウムを抽出するための方法によって、
硫酸リチウムおよび／または硫酸水素リチウムを含む、第１の水性組成物を得るステップ
と；
硫酸リチウムおよび／または硫酸水素リチウムを含む第１の水性組成物を、硫酸リチウ
ムおよび／または硫酸水素リチウムから水酸化リチウムへの少なくとも部分的な変換に適
した条件下、電気膜プロセスに供するステップと
を含む方法が提供される。
【０００６】
本開示の別の態様によれば、水酸化リチウムを調製するための方法であって：
本開示の方法による、リチウム含有材料からリチウムを抽出するための方法によって、
硫酸リチウムおよび／または硫酸水素リチウムを含む、第１の水性組成物を得るステップ
と；
硫酸リチウムおよび／または硫酸水素リチウムを含む第１の水性組成物を、硫酸リチウ
ムおよび／または硫酸水素リチウムから水酸化リチウムへの少なくとも部分的な変換に適
した条件下、電気膜プロセスに供して、硫酸リチウムおよび／または硫酸水素リチウムを
含む第２の水性組成物を得るステップと；
硫酸リチウムおよび／または硫酸水素リチウムを含む第２の水性組成物を、本開示によ
る方法において、硫酸水素リチウムを含む水性組成物として使用するステップと
を含む方法が提供される。
【０００７】
本開示の別の態様によれば、水酸化リチウムを調製するための方法であって：
リチウム含有材料を、硫酸水素リチウムを含む水性組成物と混合し、それによって混合
物を得るステップと；
混合物を、硫酸水素リチウム焙焼済みリチウム含有材料を得るのに適した条件下、焙焼
するステップと；
硫酸水素リチウム焙焼済みリチウム含有材料を、硫酸リチウムおよび／または硫酸水素
リチウムを含む第１の水性組成物を得るのに適した条件下、浸出させるステップと；
硫酸リチウムおよび／または硫酸水素リチウムを含む第１の水性組成物を、硫酸リチウ
ムおよび／または硫酸水素リチウムから水酸化リチウムへの少なくとも部分的な変換に適
した条件下、電気膜プロセスに供して、硫酸リチウムおよび／または硫酸水素リチウムを
含む第２の水性組成物を得るステップと；
硫酸リチウムおよび／または硫酸水素リチウムを含む第２の水性組成物を、硫酸水素リ
チウムを含む水性組成物として使用して、リチウム含有材料と混合し、混合物を得るステ
ップと
を含む方法が提供される。
【０００８】
本開示の方法を使用することによって、硫酸を硫酸水素リチウムで置き換えることが可
能であることが見出された。例えば、酸試薬、即ち硫酸を使用することに関連したコスト
を削減することが、可能であることも見出された。事実、ある状況下では、リチウム含有
材料からリチウムが抽出されるように、電気膜プロセス（例えば、硫酸リチウムから水酸
化リチウムへの部分変換）で得られた硫酸水素リチウムをリサイクルすることが可能であ
った。本開示の方法を使用することによって、リチウム含有材料を処理しかつ／または硫
酸リチウムを第２の水性組成物から回収しかつそれを電気膜プロセスで再使用するのに使
用することができる、酸性組成物の形で、硫酸を容易に回収することが可能であることが
見出された。例えば、そのような方法を使用することによって、硫酸リチウム一水和物（
Ｌｉ２ＳＯ４・Ｈ２Ｏ）を、実質的に選択的に沈殿させ、したがって容易に回収し再使用
することができる。
【０００９】
本開示の別の態様によれば、水酸化リチウムを調製するための方法であって：
硫酸リチウムを含む第１の水性組成物を、硫酸リチウムから水酸化リチウムへの少なく
とも部分的な変換に適した条件下、電気膜プロセスに供して、硫酸リチウムを含む第２の
水性組成物を得るステップと；
第２の水性組成物中の酸の濃度を任意選択で増大させるステップと；
リチウム含有材料と反応させるために、硫酸リチウムを含む第２の水性組成物を使用す
るステップと
を含む方法が提供される。
【００１０】
本開示の別の態様によれば、水酸化リチウムを調製するための方法であって；
リチウム含有材料を、硫酸リチウムを任意選択で含む酸性水性組成物と混合し、それに
よって混合物を得るステップと；
混合物を、焙焼済みリチウム含有材料を得るのに適した条件下で焙焼するステップと；
焙焼済み材料を、硫酸リチウムを含む第１の水性組成物を得るのに適した条件下で浸出
させるステップと；
硫酸リチウムを含む第１の水性組成物を、硫酸リチウムから水酸化リチウムへの少なく
とも部分的な変換に適した条件下、電気膜プロセスに供して、硫酸リチウムを含む第２の
水性組成物を得るステップと；
第２の水性組成物中の酸の濃度を任意選択で増大させるステップと；
硫酸リチウムを含む第２の水性組成物を、硫酸リチウムを任意選択で含む酸性水性組成
物として使用して、リチウム含有材料と混合し、混合物を得るステップと
を含む方法が提供される。
【００１１】
本開示の別の態様によれば、水酸化リチウムを調製するための方法であって：
硫酸リチウムを含む第１の水性組成物を、硫酸リチウムから水酸化リチウムへの少なく
とも部分的な変換に適した条件下、電気膜プロセスに供して、硫酸リチウムを含む第２の
水性組成物を得るステップと；
第２の水性組成物中の酸の濃度を任意選択で増大させるステップと；
硫酸リチウムを第２の水性組成物から回収し、それを電気膜プロセスで再使用するステ
ップと
を含む方法が提供される。
【００１２】
本開示の方法を使用することによって、リチウム含有材料を処理しかつ／または硫酸リ
チウムを第２の水性組成物から回収しかつそれを電気膜プロセスで再使用するのに使用す
ることができる、酸性組成物の形で、硫酸を容易に回収することが可能であることが見出
された。例えば、そのような方法を使用することによって、硫酸リチウム一水和物（Ｌｉ
２ＳＯ４・Ｈ２Ｏ）を、実質的に選択的に沈殿させ、したがって容易に回収し再使用する
ことができる。
【００１３】
本開示の別の態様によれば、硫酸リチウムを含む電気膜プロセス水性組成物を処理する
ための方法であって、硫酸リチウム一水和物を実質的に選択的に沈殿させるのに適した条
件下、電気膜プロセス水性組成物から水を除去するステップを含む方法が提供される。
【００１４】
本開示の別の態様によれば、アルカリ含有材料からアルカリを抽出するための方法であ
って、アルカリ硫酸水素塩焙焼済みアルカリ含有材料を、アルカリ化合物を含む水性組成
物を得るのに適した条件下で浸出させるステップを含む方法が提供される。
【００１５】
以下の図面では、単なる例として、開示の様々な実施形態を表す。
【図面の簡単な説明】
【００１６】
【図１】本開示の実施形態による方法の概略図である。
【図２】アルカリ水酸化物の生成に用いられた電荷の関数として、累積電流効率をプロットした図である。
【図３】アルカリ水酸化物の生成に用いられた電荷の関数として、累積電流効率をプロットした図である。
【図４】本開示の別の実施形態による方法の概略図である。
【図５】分離ステップから回収された沈殿結晶のＸＲＤ解析を示す図である。
【図６】分離ステップから回収された沈殿結晶のＸＲＤ解析を示す図である。
【図７】質量ベースで、大気圧で除去された水の関数として、分離ステップでの硫酸リチウム回収効率をプロットした図である。
【発明を実施するための形態】
【００１７】
他に指示しない限り、本明細書に記述される定義および例は、当業者に理解され得るよ
うに、それらが適している本明細書に記述される本開示の全ての実施形態および態様に、
適用可能であることが意図される。
【００１８】
本開示で使用される単数形「ａ」、「ａｎ」、および「ｔｈｅ」は、内容がその他の事
項を明示していない限り、複数表現を含む。例えば、「リチウム含有材料（a lithium-co
ntaining material）」を含む実施形態は、１種のリチウム含有材料、または２種以上の
追加のリチウム含有材料を含む、ある態様を提示すると理解されるべきである。
【００１９】
追加のまたは第２のリチウム含有材料など、「追加の」または「第２の」成分を含む実
施形態では、本明細書で使用される第２の成分は、その他の成分または第１の成分とは異
なる。「第３の」成分は、その他の、第１の、および第２の成分とは異なり、さらに数え
上げられるまたは「追加の」成分は同様に異なる。
【００２０】
本開示の範囲を理解するに際し、本明細書で使用される「含む（comprising）」という
用語およびその派生語は、記述される特徴、要素、成分、群、整数、および／またはステ
ップの存在を特定するがその他の記述されていない特徴、要素、成分、群、整数、および
／またはステップの存在を除外しない、非限定的用語であることが意図される。前述の内
容は、「含む（including）」、「有する（having）」という用語、およびそれらの派生
語など、同様の意味を有する単語にも適用される。本明細書で使用される「〜からなる（
consisting）」という用語およびその派生語は、記述される特徴、要素、成分、群、整数
、および／またはステップの存在を特定するがその他の記述されていない特徴、要素、成
分、群、整数、および／またはステップの存在を除外する、限定的用語であることが意図
される。本明細書で使用される「〜から本質的になる（consisting essentially of〜）
」という用語は、記述される特徴、要素、成分、群、整数、および／またはステップの存
在を特定することが意図され、ならびに特徴、要素、成分、群、整数、および／またはス
テップの基本的なおよび新規な（１つまたは複数の）特性に著しい影響を及ぼさないもの
である。
【００２１】
本明細書で使用される、「約（about）」および「およそ（approximately）」などの程
度を表す用語は、最終結果が著しく変化しないような、修飾される用語の妥当な量の偏差
を意味する。これらの程度の用語は、この偏差が、修飾する単語の意味を否定しないと考
えられる場合、修飾された用語の少なくとも±５％または少なくとも±１０％の偏差を含
むとして解釈されるべきである。
【００２２】
本明細書で使用される「適した」という用語は、特定の状態の選択が、行われることに
なる特定の取扱いまたは操作に依存し得るが、その選択は十分に当業者のスキルの範囲内
にあると考えられることを意味する。本明細書に記述される全ての方法は、所望の生成物
を得るのに十分な条件下で実行される。当業者なら、適用可能な場合には例えば反応時間
、反応温度、反応圧力、反応物比、流量、反応物純度、電流密度、電圧、（１つまたは複
数の）電極（１つまたは複数の）材料、濃度、ｐＨ、酸化還元電位、セル面積、使用され
る膜のタイプ、およびリサイクル速度を含めた全ての反応条件を変化させて、所望の生成
物の収量を最適化することができ、そのようにすることは当業者の範囲内であることが理
解されよう。
【００２３】
本明細書で使用される「電気膜プロセス」という用語は、例えば、（１つまたは複数の
）イオン交換膜と、イオン種に関する駆動力としての電位差を使用するプロセスを指す。
電気膜プロセスは、例えば、（膜）電気透析または（膜）電気分解とすることができる。
例えば、電気膜プロセスは、膜電気分解とすることができる。
【００２４】
本明細書で使用される「少なくとも実質的に維持される」という表現は、本開示の方法
またはその一部（例えば、電気膜プロセス）の最中に維持されるｐＨの値またはｐＨ範囲
を指す場合、この方法またはその一部の最中の時間の少なくとも７５、８０、８５、９０
、９５、９６、９７、９８、または９９％にわたり、そのｐＨの値またはｐＨ範囲を維持
することを指す。
【００２５】
本明細書で使用される「少なくとも実質的に維持される」という表現は、本開示の方法
またはその一部（例えば、電気膜プロセス）の最中に維持される電圧の値または電圧範囲
を指す場合、この方法またはその一部の最中の時間の少なくとも７５、８０、８５、９０
、９５、９６、９７、９８、または９９％にわたり、その電圧の値または電圧範囲を維持
することを指す。
【００２６】
本明細書で使用される「少なくとも実質的に維持される」という表現は、本開示の方法
またはその一部（例えば、電気膜プロセス）の最中に維持される電流効率の値または電流
効率範囲を指す場合、この方法またはその一部の最中の時間の少なくとも７５、８０、８
５、９０、９５、９６、９７、９８、または９９％にわたり、その電流効率の値または電
流効率範囲を維持することを指す。
【００２７】
本明細書で使用される「少なくとも実質的に維持される」という表現は、本開示のプロ
セスまたはその一部（例えば、電気膜プロセス）の最中に維持される濃度の値または濃度
範囲を指す場合、このプロセスまたはその一部の最中の時間の少なくとも７５、８０、８
５、９０、９５、９６、９７、９８、または９９％にわたり、その濃度の値または濃度範
囲を維持することを指す。
【００２８】
本明細書で使用される「少なくとも実質的に維持される」という表現は、本開示の方法
またはその一部（例えば、電気膜プロセス）の最中に維持される温度の値または温度範囲
を指す場合、この方法またはその一部の最中の時間の少なくとも７５、８０、８５、９０
、９５、９６、９７、９８、または９９％にわたり、その温度の値または温度範囲を維持
することを指す。
【００２９】
本開示の方法に関する例示的な流れ図を、図１に示す。この図に具体化された方法１０
は、水酸化リチウムを調製するためのものである。図１を参照すると、そこに具体化され
る方法では、β−リシア輝石のようなリチウム含有鉱などのリチウム含有材料１２を、硫
酸水素リチウムおよび／または硫酸リチウムを含む水性組成物と混合して、混合物が得ら
れるようにすることができる。次いで酸焙焼および浸出ステップ１４では、混合物を、硫
酸水素リチウム焙焼済みリチウム含有材料および／または焙焼済みリチウム含有材料を得
るのに適した条件下で焙焼することができ、次いでこの材料を、硫酸リチウムを含む第１
の水性組成物のような、硫酸リチウムおよび／または硫酸水素リチウムを含む第１の水性
組成物１６を得るのに適した条件下で浸出させることができる。次いで硫酸リチウムおよ
び／または硫酸水素リチウムを含む第１の水性組成物１６を精製１８して、例えば、第１
の水性組成物中に浸出させた金属不純物または非金属不純物（例えば、Ｓｉおよびその誘
導体）の少なくとも一部を除去することができ、次いで硫酸リチウムおよび／または硫酸
水素リチウムから水酸化リチウム２２への少なくとも部分的な変換に適した条件下、電気
膜プロセス２０（例えば、２区画単極もしくは双極膜電気分解プロセス、３区画単極もし
くは双極膜電気分解プロセス、または２区画単極もしくは双極膜電気分解プロセスと３区
画単極もしくは双極膜電気分解プロセスとの組合せ）に供して、硫酸リチウムおよび／ま
たは硫酸水素リチウムを含む第２の水性組成物２４を得ることができる。次いで硫酸リチ
ウムおよび／または硫酸水素リチウムを含む第２の水性組成物２４を、硫酸水素リチウム
を含む水性組成物として、β−リシア輝石のようなリチウム含有鉱などのリチウム含有材
料１２と混合するのに使用することにより、混合物を得ることができる。図１からわかる
ように、いくらかの過剰なＨ２ＳＯ４を添加することができる。例えば、Ｈ２ＳＯ４を第
２の組成物に添加することができる。例えば、Ｈ２ＳＯ４は、酸および硫酸水素リチウム
の供給源として第２の組成物を使用する場合、酸焙焼を実施する直前に添加することがで
きる。
【００３０】
例えば、精製１８は、その内容が参照に組み込まれる「水酸化リチウムを調製するため
の方法（Processes for preparing lithium hydroxide）」という名称のＰＣＴ出願国際
公開第２０１３／１５９１９４号パンフレットに、記載されるように実施することができ
る。
【００３１】
本開示の方法に関する、別の例示的な流れ図を、図４に示す。そこに具体化された方法
１１０は、水酸化リチウムを調製するためのものであり、図１に具体化された方法１０に
類似している。図４の方法におけるいくつかのステップ（１１２、１１４、１１６、１１
８、１２０、１２２、および１２４）は、図１の方法で見出されるステップ（１２、１４
、１６、１８、２０、２２、および２４）に類似している。第１の組成物（１６対１１６
参照）および第２の組成物（２４対１２４参照）の内容は、任意選択で僅かに変えること
ができる。例えばステップ１１６では、得られる第１の組成物は、硫酸リチウムおよび任
意選択で硫酸水素リチウムを含む。さらに、ステップ１２４で得られる第２の組成物は、
硫酸リチウムおよび任意選択で硫酸水素リチウムを含む。第１および第２の組成物の内容
の特殊性と、図１の方法と同等ではないステップ１２６、１２８、および１３０とを除き
、これらの２つの方法は全く同様である。分離ステップ１２６に関し、そのようなステッ
プは、第２の組成物を酸焙焼ステップ１１４で単に再使用することに代わる代替例である
ことが見出された（ステップ１２４と１１４との間の点線を参照）。分離ステップ１２６
では、より濃縮された酸性組成物１３０を得るために、水を除去する。硫酸を含むような
より濃縮された酸性組成物は、１１４の酸性焙焼ステップを実施するのに効率的であるこ
とが見出された。当業者なら、水を第２の組成物から除去するために、ステップ１２６で
様々なプロセスを使用できることが理解されよう。例えば、第２の組成物を加熱すること
ができ、第２の組成物を、膜またはカラムを経た脱水プロセスに通すことができる。第２
の組成物は、硫酸リチウムの沈殿を促し、次いで固／液分離を実施し、それによって硫酸
リチウム１２８を回収するために、冷却することもできる。第２の組成物には、硫酸リチ
ウム１２８の沈殿を促すように硫酸リチウムを播くこともできる。したがって、ステップ
１２６、１２８、および１３０を実現する、様々な可能性ある方法がある。図４からわか
るように、いくらか過剰なＨ２ＳＯ４を添加することができる。例えば、Ｈ２ＳＯ４は、
分離ステップ２６を実施する直前または後に添加することができる。例えば、Ｈ２ＳＯ４
は、酸の供給源として酸性組成物１３０を使用する場合、酸焙焼１１４を実施する直前に
添加することができる。
【００３２】
例えば、第２の組成物は、そこから水を除去するために、約１００℃から約１３５℃、
または約１００℃から約１２５℃の温度で、分離ステップ１２６で加熱することができる
。それは大気圧の下でまたは真空中で実施することができる蒸留プロセスによって、実施
することができる。そのようなプロセス中、硫酸を濃縮し、最終的には酸性焙焼１１４で
使用することができる酸性組成物１３０を得ることが可能であることが観察された。さら
に、第２の組成物を加熱している間、硫酸リチウム一水和物（Ｌｉ２ＳＯ４・Ｈ２Ｏ）の
実質的に選択的な沈殿が生じたことが観察された。温度を約１２５または１３０℃よりも
低く維持する場合、無水硫酸リチウムの形成が回避されることもわかった。次いで固／液
分離を実施し、沈殿した硫酸リチウムを、例えば（Ｌｉ２ＳＯ４・Ｈ２Ｏ）としてステッ
プ１２８で回収することができる。後者は、無水硫酸リチウムよりも結晶質であることが
見出された。事実、一水和物は、結晶が針状の形状でありかつ水および／または酸を保持
する傾向が少ないので、回収するのが容易である。固体が硫酸リチウム一水和物である場
合、固液分離ステップを実施するのが著しく容易であった（硫酸リチウム無水物と比較し
て）。したがって回収された硫酸リチウムは、電気膜プロセス１２０で再使用することが
できる。
【００３３】
以下に提示する実施例は、非限定的なものであり、本開示の方法をより良く具体化する
のに使用される。
【００３４】
本開示は、リチウム含有材料からリチウムを抽出するための方法であって、硫酸水素リ
チウム焙焼リチウム含有材料を、リチウム化合物を含む水性組成物を得るのに適した条件
下、浸出させるステップを含む方法を、含む。
【００３５】
例えば、硫酸水素リチウム焙焼済みリチウム含有材料は：
リチウム含有材料を、硫酸水素リチウムを含む水性組成物と混合し、それによって混合
物を得るステップと；
混合物を、硫酸水素リチウム焙焼済みリチウム含有材料を得るのに適した条件下で焙焼
するステップと
を含む方法によって、調製することができる。
【００３６】
硫酸水素リチウム焙焼済みリチウム含有材料は、例えば、リチウム含有材料を焙焼する
ための公知の手段を使用して調製することができる。硫酸水素リチウム焙焼済みリチウム
含有材料を得るのに適した条件の選択は、当業者が自らの共通の一般知識に照らしてかつ
本開示を参照することによって行うことができる。例えば、リチウム含有材料を酸で焙焼
するステップを含むプロセスは、その内容が参照により組み込まれる「水酸化リチウムを
調製するための方法（Processes for preparing lithium hydroxide）」という名称のＰ
ＣＴ出願国際公開第２０１３／１５９１９４号パンフレットに開示されている。
【００３７】
焙焼済みリチウム含有材料は、例えば、リチウム含有材料を焙焼するための公知の手段
を使用して調製することができる。焙焼済みリチウム含有材料を得るのに適した条件の選
択は、当業者が自らの共通の一般知識に照らしてかつ本開示を参照することによって、行
うことができる。例えば、リチウム含有材料を酸で焙焼するステップを含むプロセスは、
その内容が参照により組み込まれる「水酸化リチウムを調製するための方法（Processes 
for preparing lithium hydroxide）」という名称のＰＣＴ出願国際公開第２０１３／１
５９１９４号パンフレットに開示されている。
【００３８】
例えば、硫酸水素リチウムを含む水性組成物中の硫酸水素リチウムと、リチウム含有材
料中のリチウムとのモル比は、約０．１：１から約１０：１、約０．１：１から約４：１
、約０．２：１から約４：１、約０．５：１から約４：１；約１：１から約２：１、また
は約１：１とすることができる。
【００３９】
例えば、硫酸リチウムを含む水性組成物中の硫酸リチウムと、リチウム含有材料中のリ
チウムとのモル比は、約０．１：１から約１０：１、約０．１：１から約４：１、約０．
２：１から約４：１、約０．５：１から約４：１；約１：１から約２：１、または約１：
１とすることができる。
【００４０】
例えば、硫酸水素リチウムを含む水性組成物は、例えば硫酸などの酸をさらに含むこと
ができる。
【００４１】
例えば、硫酸リチウムを含む水性組成物は、例えば硫酸などの酸をさらに含むことがで
きる。
【００４２】
例えば、酸は、硫酸とすることができる。
【００４３】
例えば、硫酸水素リチウムを含む水性組成物中の酸と、リチウム含有材料中のリチウム
とのモル比は、約０．５：１から約４：１、約１：１から約２：１、または約１．１：１
から約１．２５：１とすることができる。
【００４４】
例えば、硫酸リチウムを含む水性組成物中の酸と、リチウム含有材料中のリチウムとの
モル比は、約０．５：１から約４：１、約１：１から約２：１、または約１．１：１から
約１．２５：１とすることができる。
【００４５】
例えば酸は、リチウム含有材料中のリチウムの量に対し、約１％から約１００％、化学
量論的に過剰に存在させることができる。
【００４６】
例えば酸は、リチウム含有材料中のリチウムの量に対し、約３０％から約１００％、化
学量論的に過剰に存在させることができる。
【００４７】
例えば酸は、リチウム含有材料中のリチウムの量に対し、約２０％から約５０％、化学
量論的に過剰に存在させることができる。
【００４８】
例えば酸は、リチウム含有材料中のリチウムの量に対し、約１０％から約５０％、化学
量論的に過剰に存在させることができる。
【００４９】
例えば酸は、リチウム含有材料中のリチウムの量に対し、約２０％から約４５％、化学
量論的に過剰に存在させることができる。
【００５０】
例えば酸は、リチウム含有材料中のリチウムの量に対し、約１０％から約３０％、化学
量論的に過剰に存在させることができる。
【００５１】
例えば酸は、リチウム含有材料中のリチウムの量に対し、約５５％から約６０％、化学
量論的に過剰に存在させることができる。
【００５２】
例えば、第１の水性組成物は、カリウムおよび／またはナトリウムを含むことができる
。
【００５３】
例えば、第２の水性組成物は、カリウムおよび／またはナトリウムを含むことができる
。
【００５４】
例えば、第２の水性組成物は、ＨＳＯ４−イオンよりも少ないＬｉ＋イオンを含むこと
ができる。
【００５５】
例えば、第２の水性組成物は、遊離Ｈ２ＳＯ４を含むことができる。
【００５６】
例えば、第２の水性組成物は、電気膜プロセス中に発生した遊離Ｈ２ＳＯ４を含むこと
ができる。
【００５７】
例えば、第２の組成物は、硫酸水素リチウムおよび硫酸を含むことができる。
【００５８】
例えば、第２の組成物は、硫酸リチウムおよび硫酸を含むことができる。
【００５９】
例えば、第２の組成物は、硫酸水素リチウム、硫酸リチウム、および硫酸を含むことが
できる。
【００６０】
例えば、第２の組成物は、硫酸を含むことができる。
【００６１】
例えば、混合物は、約１５０℃から約４００℃の焙焼温度で焙焼することができる。例
えば、混合物は、約２００℃から約３５０℃、約２００℃から約３２５℃、約２００℃か
ら約３００℃、約２５０℃から約３５０℃、または約２５０℃から約３００℃の焙焼温度
で焙焼することができる。例えば混合物は、約２５０℃または約３００℃の焙焼温度で焙
焼することができる。
【００６２】
例えば、混合物は、約１分から約２４時間にわたり、焙焼温度で焙焼することができる
。例えば混合物は、約１分から約２時間にわたり、焙焼温度で焙焼することができる。例
えば混合物は、約１５分から約２時間にわたり、焙焼温度で焙焼することができる。例え
ば混合物は、約３０分にわたり焙焼温度で焙焼することができる。
【００６３】
例えば、硫酸リチウム一水和物を、第２の組成物から実質的に選択的に沈殿させかつ／
または実質的に選択的に形成することができる。
【００６４】
例えば、硫酸リチウム無水物を、第２の組成物から実質的に選択的に沈殿させかつ／ま
たは実質的に選択的に形成することができる。
【００６５】
例えば、方法は、硫酸リチウムを第２の水性組成物から回収し、硫酸リチウムを電気膜
プロセスで再使用するステップをさらに含むことができる。
【００６６】
例えば、方法は、リチウム含有材料と反応させるために第２の水性組成物を使用する前
に、第２の水性組成物から硫酸リチウムを少なくとも部分的に回収し、硫酸リチウムを電
気膜プロセスで再使用するステップをさらに含むことができる。
【００６７】
例えば、方法は、第２の水性組成物から水を除去することによって第２の水性組成物中
の酸の濃度を増大させるステップを含むことができる。
【００６８】
例えば、酸の濃度を増大させるステップは、第２の水性組成物を加熱することによって
実施することができる。
【００６９】
例えば、酸の濃度を増大させるステップは、水性組成物を加熱することによって実施す
ることができる。
【００７０】
例えば、第２の水性組成物中の酸の濃度を増大させるステップは、もう少し濃縮された
酸またはより高い濃度を有するいくらかの酸を添加することによって、実施することがで
きる。
【００７１】
例えば、第２の水性組成物中の酸の濃度を増大させるステップは、もう少し濃縮された
酸またはより高い濃度を有するいくらかの酸を添加することによって、実施することがで
きる。
【００７２】
例えば、酸性組成物中の酸の濃度を増大させるステップは、もう少し濃縮された酸また
はより高い濃度を有するいくらかの酸を添加することによって、実施することができる。
【００７３】
例えば、第２の水性組成物は、約１００℃から約１３５℃、約１００℃から約３００℃
、約１００℃から約２５０℃、約２００℃から約２５０℃、約１０５℃から約１３０℃、
約１１０℃から約１３０℃、約１１５℃から約１２５℃、約１００℃から約１２５℃の温
度で加熱することができる。
【００７４】
例えば、酸性組成物は、約１００℃から約１３５℃、約１００℃から約３００℃、約１
００℃から約２５０℃、約２００℃から約２５０℃、約１０５℃から約１３０℃、約１１
０℃から約１３０℃、約１１５℃から約１２５℃、約１００℃から約１２５℃の温度で加
熱することができる。
【００７５】
例えば、水は、電気膜プロセス水性組成物を、上記にて論じた温度で加熱することによ
って除去することができる。
【００７６】
例えば、第２の水性組成物は、大気圧で加熱することができる。
【００７７】
例えば、水性組成物は、大気圧で加熱することができる。
【００７８】
例えば、酸の濃度を増大させるステップは、膜脱水プロセスによって実施することがで
きる。
【００７９】
例えば、酸の濃度を増大させるステップは、逆浸透膜プロセスによって実施することが
できる。
【００８０】
例えば、水を水性組成物から除去することにより、硫酸リチウム一水和物の沈殿を引き
起こすことができる。
【００８１】
例えば、水を水性組成物から除去するステップは、硫酸リチウム一水和物の実質的に選
択的な沈殿を引き起こすことができる。
【００８２】
例えば、水を水性組成物から除去するステップは、硫酸リチウム一水和物の結晶化を引
き起こすことができる。
【００８３】
例えば、方法は、水を水性組成物から除去することによって水性組成物中の酸の濃度を
増大させ、それによって硫酸リチウムを実質的に選択的に沈殿させるステップを含むこと
ができる。
【００８４】
例えば、水を第２の水性組成物から除去することにより、硫酸リチウム一水和物の沈殿
を引き起こすことができる。
【００８５】
例えば、水を第２の水性組成物から除去するステップは、硫酸リチウム一水和物の実質
的に選択的な沈殿を引き起こすことができる。
【００８６】
例えば、水を第２の水性組成物から除去するステップは、硫酸リチウム一水和物の結晶
化を引き起こすことができる。
【００８７】
例えば、方法は、水を第２の水性組成物から除去することによって第２の水性組成物中
の酸の濃度を増大させ、それによって硫酸リチウムを実質的に選択的に沈殿させるステッ
プを含むことができる。
【００８８】
例えば、方法は、固液分離を実施して硫酸リチウムを回収し、それによって硫酸リチウ
ムおよび酸性組成物を得るステップをさらに含むことができる。
【００８９】
例えば、固液分離は、約５℃から約１５０℃、約１５℃から約１３０℃、約２０℃から
約１２５℃、約２５℃から約１２５℃、約２０℃から約７５℃、約２０℃から約５０℃、
または約５０℃から約１００℃の温度で実施することができる。
【００９０】
例えば、方法は、固液分離を実施して硫酸リチウムを回収し、それによって、硫酸リチ
ウム、およびリチウム含有材料と混合するために使用するのに有効な酸性水溶液を得るス
テップをさらに含むことができる。
【００９１】
例えば、プロセスは、硫酸リチウムを硫酸リチウム一水和物の形で第２の水性組成物か
ら回収し、硫酸リチウムを電気膜プロセスに再使用するステップを含む。
【００９２】
例えば、酸を、Ｈ２ＳＯ４とすることができる。
【００９３】
例えば、方法は、固液分離を実施して硫酸リチウムを回収し、それによって、硫酸リチ
ウム、およびリチウム含有材料と混合するために使用するのに有効な酸性水溶液を得るス
テップを含むことができる。
【００９４】
例えば、方法は、得られた硫酸リチウムを電気膜プロセスで再使用するステップをさら
に含むことができる。
【００９５】
例えば、第２の組成物は、酸濃度を増大させるためにさらに処理することができる。例
えば、そのような処理は、脱水膜プロセス、逆浸透膜プロセス、加熱、または酸濃度を増
大させるための任意の公知の適切な方法によって実施することができる。例えば酸性組成
物は、水を少なくとも７５、少なくとも８０、少なくとも８５、少なくとも９０、または
少なくとも９５％除去するように、処理することができる。
【００９６】
例えば酸性組成物は、酸濃度を増大させるためにさらに処理することができる。例えば
そのような処理は、脱水膜プロセス、逆浸透膜プロセス、加熱、または酸濃度を増大させ
るための任意の公知の適切な方法によって実施することができる。例えば酸性組成物は、
水を少なくとも７５、少なくとも８０、少なくとも８５、少なくとも９０、または少なく
とも９５％除去するように、処理することができる。
【００９７】
例えば、第２の組成物が得られたら、サイクルを終了しかつもう一度酸焙焼を実施する
前に、いくらかの新鮮なＨ２ＳＯ４を添加することができる。
【００９８】
例えば、第２の組成物が得られたら、サイクルを終了しかつもう一度酸焙焼を実施する
前に、いくらかの新鮮な濃Ｈ２ＳＯ４を添加することができる。例えば、そのような濃Ｈ
２ＳＯ４は、約９０％から約９８％、約９３％から約９８％、または約９５％から約９８
％とすることができる。
【００９９】
例えば、第２の組成物中に含有される水の少なくとも７０重量％は、そこから除去する
ことができ、硫酸リチウムの約３０から約８０重量％は、第２の組成物から結晶化によっ
て除去することができる。
【０１００】
リチウム含有材料は、変えることができ、適切なリチウム含有材料の選択は、当業者が
行うことができる。例えばリチウム含有材料は、リチウム含有鉱、リチウム含有化合物、
またはリサイクルされた工業用リチウム含有物とすることができる。
【０１０１】
例えば、リチウム含有鉱は、α−リシア輝石、β−リシア輝石、レピドライト、ペグマ
タイト、ペタライト、ユークリプタイト、アンブリゴナイト、ヘクトライト、スメクタイ
ト、ジャダライト、クレイ、またはこれらの混合物を含むことができ、それらから本質的
になることができ、またはそれらからなることができる。例えば、リチウム含有鉱は、β
−リシア輝石またはジャダライトを含むことができ、それらから本質的になることができ
、またはそれらからなることができる。例えば、リチウム含有鉱は、β−リシア輝石を含
むことができ、それから本質的になることができ、またはそれからなることができる。
【０１０２】
例えば、リチウム含有化合物は、塩化リチウム、硫酸リチウム、炭酸水素リチウム、炭
酸リチウム、硝酸リチウム、酢酸リチウム、フッ化リチウム、ステアリン酸リチウム、ク
エン酸リチウム、またはこれらの混合物を含むことができ、それらから本質的になること
ができ、またはそれらからなることができる。
【０１０３】
例えば、リサイクルされた工業用リチウム含有物は、リチウム含有バッテリー、その他
のリチウム製品、またはそれらの派生品とすることができる。
【０１０４】
リチウム化合物を含む水性組成物を得る条件は、変更してもよく、適切な条件の選択は
、当業者が自らの共通の一般知識に照らしてかつ本開示を参照しながら行うことができる
。例えば、酸焙焼済みリチウム含有材料を浸出させるステップを含むプロセスは、その内
容が参照により組み込まれる「水酸化リチウムを調製するための方法（Processes for pr
eparing lithium hydroxide）」という名称のＰＣＴ出願国際公開第２０１３／１５９１
９４号パンフレットに開示されている。
【０１０５】
例えば、本開示の方法において、硫酸水素リチウム焙焼済みリチウム含有材料を水で浸
出させて、リチウム化合物を含む水性組成物を得ることができる。
【０１０６】
例えば、焙焼し浸出させるステップは、単一装置で実施することができる。例えば、焙
焼するステップを第１の装置で実施することができ、浸出させるステップを第２の装置で
実施することができる。当業者なら、焙焼用に第１の装置を使用しかつ浸出用に第２の装
置を使用することにより、例えば、リチウム化合物を含む水性組成物の濃度の有用な制御
をもたらし得ることが理解されよう。リチウム含有材料と、硫酸水素リチウムを含む水性
組成物との混合は、第１の装置でまたは別の装置で実施することができる。
【０１０７】
当業者なら、本開示のリチウム含有材料からリチウムを抽出するための方法において、
例えばリチウム化合物を含む水性組成物を得るのに適した条件下で浸出され得る不純物を
、リチウム含有材料中に見出し得ることが理解されよう。したがって、リチウム含有材料
からリチウムを抽出するための方法は、方法からそのように得られたリチウム化合物を含
む水性組成物の精製を、さらに含むことができる。適切な精製条件の選択は、当業者が自
らの共通の一般知識に照らしてかつ本開示を参照しながら行うことができる。例えば、リ
チウム化合物を含む水性組成物の精製を含むプロセスは、その内容が参照により組み込ま
れる「水酸化リチウムを調製するための方法（Processes for preparing lithium hydrox
ide）」という名称のＰＣＴ出願国際公開第２０１３／１５９１９４号パンフレットに開
示されている。
【０１０８】
例えば、本開示のリチウム含有材料からリチウムを抽出するための方法において、リチ
ウム含有材料は、浸出可能な金属または非金属不純物をさらに含む可能性があり、リチウ
ム化合物を含む水性組成物は、浸出可能な金属不純物の少なくとも一部を、リチウム化合
物を含む水性組成物から除去するのに適した条件下で、さらに処理することができる。本
明細書で使用される「浸出可能な金属不純物」という用語は、リチウム含有材料中に存在
し、かつ本開示の方法でリチウム化合物を含む水性組成物を得るのに適した条件下でリチ
ウムと共に同時浸出することができる、リチウム以外の金属を指す。
【０１０９】
本明細書で使用される「浸出可能な非金属不純物」という用語は、リチウム含有材料中
に存在し、かつ本開示の方法でリチウム化合物を含む水性組成物を得るのに適した条件下
でリチウムと共に同時浸出することができる、非金属化合物を指す。
【０１１０】
例えば、浸出可能な金属不純物は、Ａｌ３＋、Ｆｅ２＋、Ｆｅ３＋、Ｍｇ２＋、Ｃａ２
＋、Ｃｒ２＋、Ｃｒ３＋、Ｃｒ６＋、Ｍｎ２＋、およびこれらの混合物から選択される金
属イオンをさらに含む水性組成物が得られるように、例えば、リチウム化合物を含む水性
組成物を得るのに適した条件下でリチウムと共に同時浸出することができる、アルミニウ
ム、鉄、マグネシウム、カルシウム、クロム、亜鉛、マンガン、またはこれらの混合物を
含むことができる。
【０１１１】
例えば、「浸出可能な非金属不純物」という用語は、ケイ素または二酸化ケイ素などの
半金属を含むことができる。
【０１１２】
例えば、リチウム化合物を含む水性組成物は、硫酸リチウムおよび／または硫酸水素リ
チウムを含む水性組成物とすることができる。例えば、リチウム化合物を含む水性組成物
は、硫酸リチウムを含む水性組成物とすることができる。
【０１１３】
例えば、硫酸リチウムおよび／または硫酸水素リチウムを含む水性組成物中の、硫酸リ
チウムと硫酸水素リチウムとのモル比は、少なくとも約９：１にすることができる。
【０１１４】
例えば、硫酸リチウムおよび／または硫酸水素リチウムを含む水性組成物中の、硫酸リ
チウムと硫酸水素リチウムとのモル比は、少なくとも約１９：１にすることができる。
【０１１５】
例えば、硫酸リチウムおよび／または硫酸水素リチウムを含む水性組成物中の、硫酸リ
チウムと硫酸水素リチウムとのモル比は、少なくとも約９９：１にすることができる。
【０１１６】
本開示は、水酸化リチウムを調製するための方法であって：
本開示の方法によるリチウム含有材料からリチウムを抽出するための方法によって、硫
酸リチウムおよび／または硫酸水素リチウムを含む第１の水性組成物を得るステップと；
硫酸リチウムおよび／または硫酸水素リチウムを含む第１の水性組成物を、硫酸リチウ
ムおよび／または硫酸水素リチウムから水酸化リチウムへの少なくとも部分的な変換に適
した条件下、電気膜プロセスに供するステップと
を含む方法をさらに含む。
【０１１７】
硫酸リチウムおよび／または硫酸水素リチウムから水酸化リチウムへの少なくとも部分
的な変換のための条件は、変化させてもよく、適切な条件の選択は、当業者が自らの共通
の一般知識に照らしてかつ本開示を参照しながら行うことができる。例えば、リチウム化
合物を含む組成物を電気膜プロセスに供するステップを含む、水酸化リチウムを調製する
ための方法は、参照によりそのそれぞれの内容が組み込まれる「水酸化リチウムを調製す
るための方法（Processes for preparing lithium hydroxide）」という名称のＰＣＴ出
願国際公開第２０１４／１３８９３３号パンフレット；「水酸化リチウムを調製するため
の方法およびシステム（Processes and systems for preparing lithium hydroxide）」
という名称の、２０１４年１０月２３日に出願された国際特許出願Ｎｏ．ＰＣＴ／ＣＡ２
０１４／０００７６９号パンフレット；および「水酸化リチウムを調製するための方法（
Processes for preparing lithium hydroxide）」という名称のＰＣＴ出願国際公開第２
０１３／１５９１９４号パンフレットに開示されている。
【０１１８】
例えば、電気膜プロセス中、硫酸リチウムおよび／または硫酸水素リチウム組成物のｐ
Ｈは、酸性にすることができる。適切な酸性条件の選択は、当業者が自らの共通の一般知
識に照らしてかつ本開示を参照しながら行うことができる。例えば、リチウム化合物を含
む組成物を酸性条件下で電気膜プロセスに供するステップを含む、水酸化リチウムを調製
するための方法は、参照によりそのそれぞれの内容が組み込まれる「水酸化リチウムを調
製するための方法（Processes for preparing lithium hydroxide）」という名称のＰＣ
Ｔ出願国際公開第２０１４／１３８９３３号パンフレット、および「水酸化リチウムを調
製するための方法およびシステム（Processes and systems for preparing lithium hydr
oxide）」という名称の、２０１４年１０月２３日に出願された国際特許出願Ｎｏ．ＰＣ
Ｔ／ＣＡ２０１４／０００７６９号パンフレットに開示されている。
【０１１９】
例えば、電気膜プロセスは、３区画単極または双極膜電気分解プロセスを含むことがで
き、３区画単極または双極膜電気分解プロセス中に、ｐＨを、約２から約４の値で少なく
とも実質的に維持することができる。
【０１２０】
例えば、電気膜プロセスは、３区画単極または双極膜電気分解プロセスを含むことがで
き、３区画単極または双極膜電気分解プロセス中に、ｐＨを、約２または約１の値で少な
くとも実質的に維持することができる。
【０１２１】
例えば、電気膜プロセスは、２区画単極または双極膜電気分解プロセスを含むことがで
き、硫酸リチウムおよび／または硫酸水素リチウムから水酸化リチウムへの変換は、硫酸
リチウムおよび／または硫酸水素リチウム組成物のｐＨが約０．１から約２．０、約０．
２から約１．５、または約０．４から約１．０の値を有するまで進行させることができる
。
【０１２２】
例えば、電気膜プロセスは、２区画単極または双極膜電気分解プロセスを含むことがで
き、硫酸リチウムおよび／または硫酸水素リチウムから水酸化リチウムへの変換は、硫酸
リチウムおよび／または硫酸水素リチウム組成物のｐＨが約０．５から約０．７の値を有
するまで進行させることができる。
【０１２３】
例えば、電気膜プロセス中、硫酸リチウムおよび／または硫酸水素リチウム組成物のｐ
Ｈは、塩基性にすることができる。適切な塩基性条件の選択は、当業者が自らの共通の一
般知識に照らしてかつ本開示を参照しながら、行うことができる。例えば、リチウム化合
物を含む組成物を、塩基性条件下で電気膜プロセスに供するステップを含む、水酸化リチ
ウムを調製するための方法は、参照によりその内容が組み込まれる「水酸化リチウムを調
製するための方法（Processes for preparing lithium hydroxide）」という名称のＰＣ
Ｔ出願国際公開第２０１３／１５９１９４号パンフレットに開示されている。
【０１２４】
例えば、電気膜プロセスは、３区画単極または双極膜電気分解プロセスを含むことがで
き、３区画単極または双極膜電気分解プロセス中、供給組成物のｐＨを、少なくとも約１
０から約１２の値にすることができる。
【０１２５】
例えば、電気膜プロセスは、３区画単極または双極膜電気分解プロセスを含むことがで
き、３区画単極または双極膜電気分解プロセス中、ｐＨを、約１０から約１２の値で少な
くとも実質的に維持することができる。
【０１２６】
例えば、電気膜プロセスは、３区画単極または双極膜電気分解プロセスを含むことがで
き、３区画単極または双極膜電気分解プロセス中、ｐＨを、約１０．５から約１２．５の
値で少なくとも実質的に維持することができる。
【０１２７】
例えば、電気膜プロセスは、３区画単極または双極膜電気分解プロセスを含むことがで
き、３区画単極または双極膜電気分解プロセス中、ｐＨを、約１１から約１２の値で少な
くとも実質的に維持することができる。
【０１２８】
例えば、電気膜プロセスは、２区画単極もしくは双極膜電気分解プロセス；３区画単極
もしくは双極膜電気分解プロセス；または２区画単極もしくは双極膜電気分解プロセスと
３区画単極もしくは双極膜電気分解プロセスとの組合せを含むことができる。例えば、電
気膜プロセスは、２区画単極または双極膜電気分解プロセスを含むことができる。例えば
電気膜プロセスは、３区画単極または双極膜電気分解プロセスを含むことができる。例え
ば電気膜プロセスは、２区画単極もしくは双極膜電気分解プロセスと３区画単極もしくは
双極膜電気分解プロセスとの組合せを含むことができる。適切な電気膜プロセスの選択は
、当業者が自らの共通の一般知識に照らしてかつ本開示を参照しながら行うことができる
。
【０１２９】
例えば、リチウム化合物を含む組成物を、３区画単極または双極膜電気分解プロセスに
供するステップを含む、水酸化リチウムを調製するための方法は、参照によりそのそれぞ
れの内容が組み込まれる「水酸化リチウムを調製するための方法（Processes for prepar
ing lithium hydroxide）」という名称のＰＣＴ出願国際公開第２０１４／１３８９３３
号パンフレット、および「水酸化リチウムを調製するための方法（Processes for prepar
ing lithium hydroxide）」という名称のＰＣＴ出願国際公開第２０１３／１５９１９４
号パンフレットに開示されている。
【０１３０】
例えば、リチウム化合物を含む組成物を、２区画単極もしくは双極膜電気分解プロセス
と３区画単極もしくは双極膜電気分解プロセスとの組合せに供するステップを含む、水酸
化リチウムを調製するための方法は、参照によりその内容が組み込まれる「水酸化リチウ
ムを調製するための方法およびシステム（Processes and systems for preparing lithiu
m hydroxide）」という名称の、２０１４年１０月２３日に出願された国際特許出願Ｎｏ
．ＰＣＴ／ＣＡ２０１４／０００７６９号パンフレットに開示されている。
【０１３１】
したがって、本出願は、水酸化リチウムを調製するための方法であって：
硫酸リチウムおよび／または硫酸水素リチウムを含む第１の水性組成物を、硫酸リチウ
ムおよび／または硫酸水素リチウムを含む第２の水性組成物を得るのに適した条件下、２
区画単極または双極膜電気分解プロセスなどの電気膜プロセスに供するステップと；
硫酸リチウムおよび／または硫酸水素リチウムを含む第２の水性組成物を、本出願の硫
酸水素リチウム焙焼済みリチウム含有材料を調製するための方法で、硫酸水素リチウムを
含む水性組成物として使用するステップと
をさらに含む方法も含む。
【０１３２】
例えば、硫酸リチウムおよび／または硫酸水素リチウムを含む第２の水性組成物中の、
硫酸水素リチウムと硫酸リチウムとのモル比は、少なくとも約３：２にすることができる
。
【０１３３】
例えば、硫酸リチウムおよび／または硫酸水素リチウムを含む第２の水性組成物中の、
硫酸水素リチウムと硫酸リチウムとのモル比は、少なくとも約９：１にすることができる
。
【０１３４】
例えば、硫酸リチウムおよび／または硫酸水素リチウムを含む第２の水性組成物中の、
硫酸水素リチウムと硫酸リチウムとのモル比は、少なくとも約１９：１にすることができ
る。
【０１３５】
例えば、硫酸リチウムおよび／または硫酸水素リチウムを含む第２の水性組成物中の、
硫酸水素リチウムと硫酸リチウムとのモル比は、少なくとも約９９：１にすることができ
る。
【０１３６】
例えば、硫酸リチウムおよび／または硫酸水素リチウムを含む第２の水性組成物中の、
硫酸水素リチウムと硫酸リチウムとのモル比は、約３：２から約９９：１にすることがで
きる。
【０１３７】
例えば、硫酸リチウムおよび／または硫酸水素リチウムを含む第２の水性組成物中の、
硫酸水素リチウムと硫酸リチウムとのモル比は、約３：２から約１９：１にすることがで
きる。
【０１３８】
例えば、硫酸リチウムおよび／または硫酸水素リチウムを含む第２の水性組成物は、硫
酸水素リチウムを含むことができ、方法は、硫酸水素リチウムの少なくとも一部を硫酸リ
チウムに変換するのに適した条件下、硫酸リチウムおよび／または硫酸水素リチウムを含
む第２の水性組成物の一部に塩基を添加するステップをさらに含むことができる。当業者
なら、本開示の方法の循環から、硫酸水素リチウムおよび任意選択で硫酸リチウムを含む
第２の水性組成物の一部をブリーディングするステップと、塩基を添加して硫酸水素リチ
ウムの少なくとも一部を硫酸リチウムに変換するステップは、例えば、過剰な硫酸水素リ
チウムがこの方法で存在する場合には、ストックを再平衡させることが理解されよう。硫
酸水素リチウムの少なくとも一部を硫酸リチウムに変換するのに適した条件の選択は、当
業者が行うことができる。例えば、塩基は、水酸化カルシウム、酸化カルシウム、および
／または炭酸カルシウムを含むことができる。
【０１３９】
例えば、本開示の方法では、硫酸カルシウムを得ることもできる。例えば、硫酸水素リ
チウムを、硫酸カルシウム沈殿物に変換することができ、この沈殿物は、濾過を用いて最
終的には精製することができる。
【０１４０】
例えば、電気膜プロセスは、２区画単極または双極膜電気分解プロセスを含むことがで
き、２区画単極または双極膜電気分解プロセス中、電圧は、約４Ｖから約５Ｖ、約３Ｖか
ら約６Ｖ、約２Ｖから約８Ｖ、約２．５Ｖから約４Ｖの値で少なくとも実質的に維持する
ことができる。
【０１４１】
例えば、電気膜プロセスは、２区画単極または双極膜電気分解プロセスを含むことがで
き、２区画単極または双極膜電気分解プロセス中、電圧は、約４．５Ｖの値で少なくとも
実質的に維持することができる。
【０１４２】
例えば、電気膜プロセスは、２区画単極または双極膜電気分解プロセスを含むことがで
き、２区画単極または双極膜電気分解プロセス中、ＬｉＯＨ電流効率は、約３０から約５
０％、約３０から約４０％、５０％から約９５％、約５５％から約９０％、または約６５
％から約８５％の値で少なくとも実質的に維持することができる。
【０１４３】
例えば、電気膜プロセスは、２区画単極または双極膜電気分解プロセスを含むことがで
き、２区画単極または双極膜電気分解プロセス中、ＬｉＯＨ電流効率は、約７５％の値で
少なくとも実質的に維持することができる。
【０１４４】
例えば、硫酸リチウムおよび／または硫酸水素リチウムを含む第１の水性組成物中のリ
チウム濃度は、溶液１リットル当たりリチウム約２０ｇから溶液１リットル当たりリチウ
ム約４０ｇ、溶液１リットル当たりリチウム約１０ｇから溶液１リットル当たりリチウム
約２０ｇ、溶液１リットル当たりリチウム約５ｇから溶液１リットル当たりリチウム約４
０ｇ、または溶液１リットル当たりリチウム約１２ｇから溶液１リットル当たりリチウム
約１８ｇの値で、少なくとも実質的に維持することができる。
【０１４５】
例えば、硫酸リチウムおよび／または硫酸水素リチウムを含む第１の水性組成物中のリ
チウム濃度は、溶液１リットル当たりリチウム約３０ｇから溶液１リットル当たりリチウ
ム約３３ｇの値で、少なくとも実質的に維持することができる。
【０１４６】
例えば、硫酸リチウムおよび／または硫酸水素リチウムを含む第２の水性組成物中のリ
チウム濃度は、溶液１リットル当たりリチウム約１０ｇから溶液１リットル当たりリチウ
ム約２０ｇ、または溶液１リットル当たりリチウム約２０ｇから溶液１リットル当たりリ
チウム約４０ｇの値で、少なくとも実質的に維持することができる。
【０１４７】
例えば、硫酸リチウムおよび／または硫酸水素リチウムを含む第２の水性組成物中のリ
チウム濃度は、溶液１リットル当たりリチウム約３０ｇから溶液１リットル当たりリチウ
ム約３３ｇの値で、少なくとも実質的に維持することができる。
【０１４８】
例えば、電気膜プロセスは、２区画単極または双極膜電気分解プロセスを含むことがで
き、２区画単極または双極膜電気分解プロセス中、約２Ｍから約７Ｍ、約２Ｍから約４Ｍ
、約１．５Ｍから約４．５Ｍ、約１．５Ｍから約７．５Ｍ、または約２．５Ｍから約３．
５Ｍの水酸化リチウムの濃度で少なくとも実質的に維持される水酸化リチウムを、水溶液
中に生成することができる。
【０１４９】
例えば、電気膜プロセスは、２区画単極または双極膜電気分解プロセスを含むことがで
き、２区画単極または双極膜電気分解プロセス中、約３．０Ｍの水酸化リチウムの濃度で
少なくとも実質的に維持される水酸化リチウムを、水溶液中に生成することができる。
【０１５０】
例えば、電気膜プロセスは、２区画単極または双極膜電気分解プロセスを含むことがで
き、２区画単極または双極膜電気分解プロセス中、水酸化リチウムは、約４０℃から約１
００℃、または約６０℃から約１００℃、または約７５℃から約９５℃の温度で少なくと
も実質的に維持される状態で水溶液中に生成することができる。
【０１５１】
例えば、電気膜プロセスは、２区画単極または双極膜電気分解プロセスを含むことがで
き、２区画単極または双極膜電気分解プロセス中、水酸化リチウムは、約８０℃の温度で
少なくとも実質的に維持される状態で水溶液中に生成することができる。
【０１５２】
本開示の方法は、例えばバッチ法として操作することができる。あるいは、本開示の方
法は、半連続法または連続法として操作することができる。
【０１５３】
例えば、硫酸リチウムおよび／または硫酸水素リチウムを含む第１の水性組成物は、硫
酸リチウムおよび／または硫酸水素リチウムを含む第２の水性組成物を得るのに適した条
件下、２区画単極または双極膜電気分解プロセスに供することができ；次いで硫酸リチウ
ムおよび／または硫酸水素リチウムを含む第２の水性組成物を、例えば、本出願の硫酸水
素リチウム焙焼済みリチウム含有材料を調製するための方法で使用することができ；次い
でそのように調製された硫酸水素リチウム焙焼済みリチウム含有材料を、例えば、本出願
のリチウム含有材料からリチウムを抽出するための方法で使用して、電気膜プロセスに供
することができる硫酸リチウムおよび／または硫酸水素リチウムを含む第３の水性組成物
を得ることができ；（以下同様）その結果、例えば半連続法または連続法として操作され
るようになる。
【０１５４】
例えば、方法は、硫酸リチウムおよび／または硫酸水素リチウムを含む第１の水性組成
物を、約３０から約７０％、約３０から約６０％、約４０から約５５％、約４５から約５
５％、約４０から約５０％、または約４５から約６０％の変換率で、硫酸リチウムおよび
／または硫酸水素リチウムから水酸化リチウムに部分変換するのに適した条件下、電気膜
プロセスに供して、硫酸リチウムおよび／または硫酸水素リチウムを含む第２の水性組成
物を得るステップと；硫酸リチウムおよび／または硫酸水素リチウムを含む第２の水性組
成物を、リチウム含有材料と混合するための硫酸水素リチウムを含む水性組成物として使
用して、混合物を得るステップとを含むことができる。
【０１５５】
そのような理論に拘泥するものではないが、出願人は、硫酸水素リチウムが、例えば本
開示の組成物中に存在する場合、電気膜プロセス中に緩衝剤として動作することができ、
それによって水酸化リチウムの調製を助けることができると考える。例えば、そのような
緩衝剤は、水酸化リチウムを調製する際に電流効率を増大させる。
【０１５６】
第２の組成物から水を濃縮しかつ／または除去したとき（電気膜プロセス後）、硫酸リ
チウムを（硫酸リチウム一水和物の形で）実質的に選択的に沈殿させることが可能であり
、硫酸リチウムの少なくとも一部を酸（硫酸）から分離することも可能であることが観察
された。あるいは、硫酸リチウム無水物を実質的に選択的に沈殿させることが可能である
。
【０１５７】
当業者なら、ｐＨ、温度、電流密度、電圧、電流効率、および濃度などであるがこれら
に限定されない本開示の方法の１つまたは複数のパラメーターを、例えば当技術分野で公
知の手段によってモニターできることが理解されよう。本開示の方法で特定のパラメータ
ーをモニターするのに適した手段の選択は、当業者が行うことができる。そのようなパラ
メーターは、当業者が自らの共通の一般知識に照らしてかつ本開示を参照しながら、維持
されかつ／または変化させることもできる。
［実施例］
【実施例１】
【０１５８】
硫酸水素ナトリウム焙焼試験
７つのβ−リシア輝石硫酸水素塩焙焼試験と、１つの標準酸焙焼試験を行った。試験の
目的には、リシア輝石相転移が１０５０℃でのベーク中に生じることを確実にし；硫酸水
素塩焙焼結果と比較するために試験データを収集し；かつ硫酸水素塩ベーク試験結果に対
する温度および／またはＮａＨＳＯ４濃度の影響を研究することが含まれた。
【０１５９】
硫酸化用の反応パルプを、β−リシア輝石と、β−リシア輝石中のリチウムの量に対す
る化学量論的要件よりも３０、５０、または１００％過剰な所望の硫酸塩剤とを混合する
ことによって、調製した。
【０１６０】
次いで酸性混合物を、マッフル炉内で、標準条件下、炉内温度２５０℃または３００℃
で、目標温度で３０分のベーク時間、合計１．５〜２時間のベーク時間を使用してベーク
した。次いで焙焼済みβ−リシア輝石を、水浸出に供して、Ｌｉ変換の程度を決定した。
様々なパラメーターを使用した試験に関する、硫酸水素塩および酸焙焼試験結果を、表１
にまとめる。
【０１６１】
【表１】
2019069895.tif 000002
【０１６２】
表１では、試薬として添加されたアルカリと、β−リシア輝石から抽出されかつ硫酸リ
チウムおよび硫酸ナトリウム混合物に変換されるリチウムとを、より良く識別するための
試薬として、硫酸水素ナトリウムを使用した。
【０１６３】
表１に報告された硫酸水素塩の水浸出試験および酸焙焼試験は、硫酸および硫酸水素ナ
トリウム溶液の混合物を、焙焼プロセスにおける硫酸塩試薬として使用した場合、９７．
４％の最高Ｌｉ抽出％が、硫酸水素塩焙焼試験Ｔ７で実現されたことを示した。
【０１６４】
硫酸水素塩焙焼試験Ｔ６における９４．３％のＬｉ抽出は、１００％の化学量論的過剰
状態で単独硫酸塩試薬として硫酸水素塩を使用することにより実現された。
【実施例２】
【０１６５】
硫酸水素リチウム／硫酸水素ナトリウム焙焼試験
研究は、実施例１で記述された手順を使用して、ＬｉＨＳＯ４、ＮａＨＳＯ４、および
Ｈ２ＳＯ４の混合物を硫酸塩試薬として使用して実施した。次いで酸性混合物を、マッフ
ル炉内で、標準条件下、７０℃の溶液、２５０℃から３００℃の炉内温度を使用して、目
標温度で３０から６０分のベーク時間、合計で１．５〜２．５時間のベーク時間でベーク
した。次いで焙焼済みβ−リシア輝石を、水浸出に供して、Ｌｉ変換の程度を決定した。
様々なパラメーターを使用した試験に関する、硫酸水素塩試験結果を、表２にまとめる。
【０１６６】
【表２】
2019069895.tif 000003
【０１６７】
表２の抽出値は、水浸出残渣および初期供給物中のＬｉ含量に対して計算される。上記
結果から、Ｌｉ抽出は、使用した酸の量と共に増大したことが明らかである。表２では、
アルファ−リシア輝石鉱抽出から得られた典型的なベータ−リシア輝石濃縮物からのアル
カリ抽出中に得られると考えられる第１の組成物をシミュレートするために、硫酸水素ナ
トリウムを、１５％の質量比で硫酸水素リチウムに添加した。
【実施例３】
【０１６８】
第１の組成物からアルカリ水酸化物への生成試験の、累積電流効率対電荷通過変換率
いくつかの試験が行われており、それらは、ＬｉＯＨを生成するための２区画膜電気分
解セルの使用に関するＰＣＴ／ＣＡ２０１４／０００７６９号パンフレット（その全体が
参照により本明細書に組み込まれる。）に記載されている。ＰＣＴ／ＣＡ２０１４／００
０７６９号パンフレットで図３Ａ〜Ｄ；図４Ａ〜Ｄ；および図５Ａ〜Ｄに示されている試
験は累積されており、それを本開示の図２に示す。したがって、本開示の図２および図３
に示される試験のパラメーターは、ＰＣＴ／ＣＡ２０１４／０００７６９号パンフレット
で行われた試験と同一である。本開示の図２では、４ｋＡ／ｍ２に関する結果は、３ｋＡ
／ｍ２および５ｋＡ／ｍ２に関して得られた結果と比べた場合、予測された（電流効率に
関して）よりも低いことがわかる。４ｋＡ／ｍ２に関するこれらの結果は、おそらくは試
験中の技術的な不具合に起因する。しかし本開示の図３からわかるように（図２の場合と
同じパラメーターで行われた別の試験）、４ｋＡ／ｍ２に関する結果は、３ｋＡ／ｍ２お
よび５ｋＡ／ｍ２の場合と一致するようである。本開示の図２および図３に示されるこれ
らの結果に基づいて、本開示の一実施形態は、硫酸リチウムから水酸化リチウムへの変換
を、約３０から約６０％、約４０から約６０％、約４０から約５０％、約４０から約５５
％、または約４５から約５５％の変換率で実施し、次いでリチウム含有材料と混合するた
めに、硫酸水素リチウムを含む水性組成物として硫酸水素リチウムを含む残りの組成物（
第２の水性組成物）を使用し、焙焼されることになる混合物を得ることとすることができ
る。
【実施例４】
【０１６９】
電気化学的に発生させた硫酸水素カチオンによる硫酸水素リチウム／硫酸水素ナトリウム
焙焼試験
研究は、実施例１で記述した手順を使用して、硫酸塩試薬としてＬｉＨＳＯ４、ＮａＨ
ＳＯ４、およびＨ２ＳＯ４の混合物を使用して実施した。次いで酸性混合物を、マッフル
炉内で、標準条件下、２５０℃の炉内温度を使用して、目標温度で３０分のベーク時間、
および合計で１．５〜２．７５時間のベーク時間でベークした。次いで焙焼済みβ−リシ
ア輝石を水浸出に供して、Ｌｉ変換の程度を決定した。様々なパラメーターを使用した試
験に関する、硫酸水素塩試験結果を、表３にまとめる。
【０１７０】
【表３】
2019069895.tif 000004
【０１７１】
表３の抽出値は、水浸出残渣および初期供給物中のＬｉ含量に対して計算される。上記
結果から、実施例２で得られたＬｉ抽出結果と比較すると、電気化学的に発生した硫酸は
、必要とされる硫酸の過剰率を比例的に低減させることが明らかである。
【実施例５】
【０１７２】
プロセス溶液からの水および硫酸リチウムの除去
電気膜プロセスから得られると考えられる第２の組成物をシミュレートする様々な酸性
混合物をベースにした、焙焼試験キャンペーンに続き、リチウム含有材料と混合する前に
前述の組成物から可能な限り多くの水を除去するために、さらなる試験を行った。
【０１７３】
混合物を加熱する場合、蒸発によって、水を選択的に除去する。そこから水が除去され
る混合物が、約１１８℃の沸騰温度に到達すると、沈殿物が形成されることが観察された
。図５および図６は、このプロセスから回収された、沈殿した結晶のＸＲＤ解析である。
図５は、試験０７Ａから回収された沈殿物の解析から得られる。図５は、沈殿物が約１２
５℃から１３０℃よりも低い温度で形成された場合、その化学組成は本質的に硫酸リチウ
ム一水和物であることを示す。したがって、硫酸リチウム一水和物は、実質的に選択的に
沈殿しかつ／または実質的に選択的に形成される。図６は、試験０４から回収された沈殿
物の解析から得られる。沈殿が少なくとも約１２５℃から１３０℃の温度で行われた場合
、沈殿物の少なくとも一部は脱水され、それによって硫酸リチウム無水物が形成されるこ
とを示す。そのような加熱の継続は、硫酸リチウム無水物の実質的な沈殿および／または
形成をもたらすことができる。
【０１７４】
水溶液中の実質的に純粋な硫酸リチウムの、予測される挙動に反して、濃縮された酸性
混合物が冷却された場合、硫酸リチウム一水和物の回収は劇的に増大することも観察され
た。２つの独立した実験室で発生したデータを提示する、表５および表６に示されるよう
に、例えば溶液が冷却される温度に応じて、硫酸リチウムの約３５％から約８０％を硫酸
リチウム一水和物として分離することができる。図７は、表５のデータに基づき、質量ベ
ースで、大気圧で除去された水の関数として、分離ステップでの硫酸リチウム回収効率を
示す。この図から、および表５の最終沸騰温度から、硫酸リチウムのほとんどが、その一
水和物の形で１３０℃よりも低い温度で沈殿することが明らかである。
【０１７５】
酸性硫酸リチウム水溶液に関する非常に少ない文献からは予想されることのないこの現
象は、本開示の文脈において操作上の利点を示すことがわかる。事実、電気膜プロセスに
直接リサイクルすることができ、これはリチウム含有材料から得られる主流への、この非
常に高い純度のまたは実質的に純粋な原材料の添加から、利益が得られるものである。
【０１７６】
これらの試験から、試験０７Ａから得られた第２の組成物（組成物Ａ）は、リチウム含
有材料の焙焼に関して試験されるべきことが決定された。
【０１７７】
この組成物に基づき、より多くの水を除去するために第２の蒸発ステップを試験した（
０７Ｂ）。試験０７Ａは、約２００℃の沸騰温度に到達するまでさらに蒸発させた（組成
物Ｂ）。
【０１７８】
【表４】
2019069895.tif 000005
【０１７９】
【表５】
2019069895.tif 000006
【０１８０】
当業者なら、種々の温度での硫酸リチウムの回収に伴うエネルギーコストに関し、除去
される水、電気膜プロセスでリサイクルされるリチウム、および下流の焙焼プロセスの効
率の間にトレードオフがあることが理解されよう。例えば、ある条件下では、加熱に関す
るコストが著しく高くなる可能性があり、したがって、可能な限り多くの熱を回収するこ
とができるようにするために、濾過をより高い温度で有利に実施することになる。しかし
、エネルギーコストが許容されると、より高いパーセンテージの硫酸リチウムを沈殿させ
るために、より低い温度で固液温度を実施することが可能になる。
【実施例６】
【０１８１】
処理済み副生成物による焙焼試験
研究は、実施例１で記述された手順を使用して、硫酸塩試薬として実施例５で決定され
た組成物Ａおよび組成物Ｂを使用して実施した。次いで酸性混合物を、マッフル炉内で、
標準条件下、２５０℃の炉内温度を使用して、目標温度で３０分のベーク時間でベークし
た。次いで焙焼済みβ−リシア輝石を水浸出に供して、Ｌｉ変換の程度を決定した。様々
な組成物および化学量論的過剰率を使用した試験に関し、焙焼試験結果を表７にまとめる
。
【０１８２】
【表６】
2019069895.tif 000007
【０１８３】
表７の抽出値は、水浸出残渣および初期供給物中のＬｉ含量に対して計算される。
【０１８４】
上記結果から、実施例２および４で得られたＬｉ抽出結果と比較すると、組成物Ａは、
類似の性能を示すがそれと共に実施例５で述べたように硫酸リチウムを電気膜プロセスに
直接リサイクルするという利益を有することが明らかである。
【０１８５】
上記結果から、実施例２および４で得られたＬｉ抽出結果と比較すると、組成物Ｂは、
より良好な性能を示すがそれと共に実施例５で述べたように硫酸リチウムを電気膜プロセ
スに直接リサイクルするという利益を有することが明らかである。
【０１８６】
全ての刊行物、特許、および特許出願は、個々の刊行物、特許、または特許出願のそれ
ぞれが、参照によりその全体が特別にかつ個別に組み込まれることが示されるかのように
同程度まで、その全体を参照により本明細書に組み込む。本開示における用語が、参照に
より本明細書に組み込まれる文書で異なって定義されることが見出された場合、本明細書
に提示された定義が、その用語に関する定義としての役割をするものとする。
【符号の説明】
【０１８７】
１０  方法
１２  リチウム含有材料
１４  酸焙焼および浸出ステップ
１６  硫酸リチウムおよび／または硫酸水素リチウムを含む第１の水性組成物
１８  精製
２０  電気膜プロセス
２２  水酸化リチウム
２４  硫酸リチウムおよび／または硫酸水素リチウムを含む第２の水性組成物
１１０  方法
１１２  リチウム含有材料
１１４  酸焙焼および浸出ステップ
１１６  硫酸リチウムを含む第１の水性組成物
１１８  精製
１２０  電気膜プロセス
１２２  水酸化リチウム
１２４  硫酸リチウムを含む第２の水性組成物
１２６  分離ステップ
１２８  硫酸リチウム
１３０  酸性組成物
【図１】
2019069895.tif 000008
【図２】
2019069895.tif 000009
【図３】
2019069895.tif 000010
【図４】
2019069895.tif 000011
【図５】
2019069895.tif 000012
【図６】
2019069895.tif 000013
【図７】
2019069895.tif 000014
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
硫酸リチウムを含む電気膜プロセス水性組成物を処理するための方法であって、前記プロセスが、硫酸リチウム一水和物を実質的に選択的に沈殿させるのに適した条件下、水を前記電気膜プロセス水性組成物から除去するステップを含む方法。
【請求項２】
水が、前記電気膜プロセス水性組成物を１００℃から１３５℃の温度で加熱することによって除去される、請求項１に記載の方法。
【請求項３】
前記第２の水性組成物が、大気圧で加熱される、請求項１または２に記載の方法。
【請求項４】
前記酸の濃度を増大させるステップが、膜脱水プロセスによって実施される、請求項１に記載の方法。
【請求項５】
固液分離を実施して、前記硫酸リチウムを回収し、それによって前記硫酸リチウムおよび酸性組成物を得るステップをさらに含む、請求項１から４のいずれか一項に記載の
方法。
【請求項６】
固液分離を、１５℃から１３０℃の温度で実施して、前記硫酸リチウムを回収し、それによって、前記硫酸リチウム、および酸性組成物を得るステップをさらに含む、請求項１から５のいずれか一項に記載の方法。
【請求項７】
前記得られた硫酸リチウムを前記電気膜プロセスで再使用するステップをさらに含む、請求項１から６のいずれか一項に記載の方法。
【請求項８】
水酸化リチウムを調製するための方法であって、
第１の水性組成物を得るのに適した条件下で、硫酸水素リチウム焙焼済みリチウム含有材料を浸出させること、および／または硫酸リチウム焙焼済みリチウム含有材料を浸出させることによる、リチウム含有材料からリチウムを抽出するための方法によって、硫酸リチウムおよび／または硫酸水素リチウムを含む前記第１の水性組成物を得るステップと、
硫酸リチウムおよび／または硫酸水素リチウムを含む前記第１の水性組成物を、前記硫酸リチウムおよび／または硫酸水素リチウムから水酸化リチウムへの少なくとも部分的な変換に適した条件下、電気膜プロセスに供するステップと
を含む方法。
【請求項９】
前記電気膜プロセス中、前記硫酸リチウムおよび／または硫酸水素リチウム組成物のｐＨが酸性である、請求項１から８のいずれか一項に記載の方法。
【請求項１０】
前記電気膜プロセス中、前記硫酸リチウムおよび／または硫酸水素リチウム組成物のｐＨが塩基性である、請求項１から８のいずれか一項に記載の方法。
【請求項１１】
硫酸リチウムおよび／または硫酸水素リチウムを含む前記第１の水性組成物を、前記硫酸リチウムおよび／または硫酸水素リチウムから水酸化リチウムへの少なくとも部分的な変換に適した条件下、前記電気膜プロセスに供して、硫酸リチウムおよび／または硫酸水素リチウムを含む第２の水性組成物を得るステップと、
別のリチウム含有材料を、硫酸リチウムおよび／または硫酸水素リチウムを含む前記第２の水性組成物と混合し、それによって混合物を得るステップと、前記混合物を、別の硫酸水素リチウム焙焼済みリチウム含有材料および／または別の硫酸リチウム焙焼済みリチウム含有材料を得るのに適した条件下で焙焼するステップとを含む方法において、硫酸水素リチウムを含む前記水性組成物として、硫酸リチウムおよび／または硫酸水素リチウムを含む前記第２の水性組成物を使用するステップと
を含む、請求項８から１０のいずれか一項に記載の方法。
【請求項１２】
水酸化リチウムを調製するための方法であって、
リチウム含有材料を、硫酸水素リチウムを含む水性組成物と混合し、それによって混合物を得るステップと、
前記混合物を、硫酸水素リチウム焙焼済みリチウム含有材料を得るのに適した条件下で焙焼するステップと、
前記硫酸水素リチウム焙焼済みリチウム含有材料を、硫酸リチウムおよび／または硫酸水素リチウムを含む第１の水性組成物を得るのに適した条件下で浸出させるステップと、
硫酸リチウムおよび／または硫酸水素リチウムを含む前記第１の水性組成物を、前記硫酸リチウムおよび／または硫酸水素リチウムから水酸化リチウムへの少なくとも部分的な変換に適した条件下、電気膜プロセスに供して、硫酸リチウムおよび／または硫酸水素リチウムを含む第２の水性組成物を得るステップと、
硫酸リチウムおよび／または硫酸水素リチウムを含む前記第２の水性組成物を、硫酸水素リチウムを含む前記水性組成物として使用して、前記リチウム含有材料と混合し、前記
混合物を得るステップと
を含む方法。
【請求項１３】
硫酸水素リチウムを含む前記水性組成物中の前記硫酸水素リチウムと、前記リチウム含有材料中のリチウムとのモル比が、０．５：１から４：１である、請求項１２に記載の方法。
【請求項１４】
硫酸水素リチウムを含む前記水性組成物が、硫酸をさらに含む、請求項１２から１３のいずれか一項に記載の方法。
【請求項１５】
前記硫酸が、前記リチウム含有材料中のリチウムの量に対して３０％から１００％、化学量論的に過剰に存在する、請求項１４に記載の方法。
【請求項１６】
硫酸リチウムおよび／または硫酸水素リチウムを含む前記第１の水性組成物中の前記硫酸リチウムと前記硫酸水素リチウムとのモル比が、少なくとも９：１である、請求項１２から１５のいずれか一項に記載の方法。
【請求項１７】
硫酸リチウムおよび／または硫酸水素リチウムを含む前記第１の水性組成物を、３０から６０％の変換率で前記硫酸リチウムおよび／または硫酸水素リチウムから水酸化リチウムに部分変換するのに適した条件下で電気膜プロセスに供して、硫酸リチウムおよび／または硫酸水素リチウムを含む第２の水性組成物を得るステップと、硫酸リチウムおよび／または硫酸水素リチウムを含む前記第２の水性組成物を、硫酸水素リチウムを含む前記水性組成物として使用して、前記リチウム含有材料と混合し、前記混合物を得るステップとを含む、請求項１から１６のいずれか一項に記載の方法。
【請求項１８】
硫酸リチウムを含む前記第１の水性組成物を、３０から６０％の変換率で前記硫酸リチウムから水酸化リチウムに部分変換するのに適した条件下で電気膜プロセスに供して、硫酸水素リチウムを含む第２の水性組成物を得るステップと、硫酸水素リチウムを含む前記第２の水性組成物を、硫酸水素リチウムを含む前記水性組成物として使用して、前記リチウム含有材料と混合し、前記混合物を得るステップとを含む、請求項１から１７のいずれか一項に記載の方法。
【手続補正２】
【補正対象書類名】明細書
【補正対象項目名】０００４
【補正方法】変更
【補正の内容】
【０００４】
本開示は以下の［１］から［１３３］を含む。
［１］水酸化リチウムを調製するための方法であって、
リチウム含有材料を、硫酸リチウムを任意選択で含む酸性水性組成物と混合し、それによって混合物を得るステップと、
上記混合物を、焙焼済みリチウム含有材料を得るのに適した条件下、焙焼するステップと、
上記焙焼済み材料を、硫酸リチウムを含む第１の水性組成物を得るのに適した条件下、浸出させるステップと、
硫酸リチウムを含む上記第１の水性組成物を、上記硫酸リチウムから水酸化リチウムへの少なくとも部分的な変換に適した条件下、電気膜プロセスに供して、硫酸リチウムを含む第２の水性組成物を得るステップと、
上記第２の水性組成物中の酸の濃度を任意選択で増大させるステップと、
硫酸リチウムを含む上記第２の水性組成物を、硫酸リチウムを任意選択で含む上記酸性水性組成物として使用して、上記リチウム含有材料と混合し、上記混合物を得るステップと
を含む方法。
［２］上記酸が、上記リチウム含有材料中のリチウムの量に対して約１０％から約１００％、化学量論的に過剰に存在する、上記［１］に記載の方法。
［３］上記酸が、上記リチウム含有材料中のリチウムの量に対して約１０％から約４０％、約２０％から約４０％、または約５５％から約６０％、化学量論的に過剰に存在する、上記［１］に記載の方法。
［４］上記混合物が、約１５０℃から約４００℃の焙焼温度で焙焼される、上記［１］から［３］のいずれか一項に記載の方法。
［５］上記混合物が、約２００℃から約３００℃の焙焼温度で焙焼される、上記［１］から［３］のいずれか一項に記載の方法。
［６］上記混合物が、上記焙焼温度で、約１０分から約２４時間にわたり焙焼される、上記［１］から［５］のいずれか一項に記載の方法。
［７］上記混合物が、上記焙焼温度で、約１５分から約２時間にわたり焙焼される、上記［１］から［５］のいずれか一項に記載の方法。
［８］上記リチウム含有材料が、リチウム含有鉱である、上記［１］から［７］のいずれか一項に記載の方法。
［９］上記リチウム含有鉱が、β−リシア輝石またはジャダライトを含む、上記［８］に記載の方法。
［１０］上記リチウム含有鉱が、β−リシア輝石を含む、上記［８］に記載の方法。
［１１］上記焙焼済みリチウム含有材料が水で浸出されて、上記硫酸リチウムを含む上記第１の水性組成物が得られる、上記［１］から［１０］のいずれか一項に記載の方法。
［１２］上記リチウム含有材料が、浸出可能な金属不純物をさらに含み、硫酸リチウムを含む上記第１の水性組成物が、上記浸出可能な金属不純物の少なくとも一部を、上記硫酸リチウムを含む上記第１の水性組成物から除去するのに適した条件下でさらに処理される、上記［１］から［１１］のいずれか一項に記載の方法。
［１３］水酸化リチウムを調製するための方法であって、
硫酸リチウムを含む第１の水性組成物を、上記硫酸リチウムから水酸化リチウムへの少なくとも部分的な変換に適した条件下、電気膜プロセスに供して、硫酸リチウムを含む第２の水性組成物を得るステップと、
上記第２の水性組成物中の酸の濃度を任意選択で増大させるステップと、
硫酸リチウムを含む上記第２の水性組成物を、リチウム含有材料と反応させるために使用するステップと
を含む方法。
［１４］硫酸リチウムを上記第２の水性組成物から回収し、上記硫酸リチウムを上記電気膜プロセスで再使用するステップをさらに含む、上記［１］から［１３］のいずれか一項に記載の方法。
［１５］上記第２の水性組成物を、上記リチウム含有材料と反応させるために使用する前に、硫酸リチウムを上記第２の水性組成物から少なくとも部分的に回収し、上記硫酸リチウムを上記電気膜プロセスで再使用するステップをさらに含む、上記［１］から［１３］のいずれか一項に記載の方法。
［１６］水酸化リチウムを調製するための方法であって、
硫酸リチウムを含む第１の水性組成物を、上記硫酸リチウムから水酸化リチウムへの少なくとも部分的な変換に適した条件下、電気膜プロセスに供して、硫酸リチウムを含む第２の水性組成物を得るステップと、
上記第２の水性組成物中の酸の濃度を任意選択で増大させるステップと、
硫酸リチウムを上記第２の水性組成物から回収し、それを上記電気膜プロセスで再使用するステップと
を含む方法。
［１７］上記第２の水性組成物中の酸の濃度を、上記第２の水性組成物から水を除去することによって増大させるステップを含む、上記［１］から［１６］のいずれか一項に記載の方法。
［１８］上記酸の濃度を増大させるステップが、上記第２の水性組成物を加熱することによって実施される、上記［１７］に記載の方法。
［１９］上記第２の水性組成物が、約１００℃から約３００℃の温度で加熱される、上記［１８］に記載の方法。
［２０］上記第２の水性組成物が、約１１０℃から約１３０℃の温度で加熱される、上記［１８］に記載の方法。
［２１］上記第２の水性組成物が、約１１５℃から約１２５℃の温度で加熱される、上記［１８］に記載の方法。
［２２］上記第２の水性組成物が、減圧下または真空中で加熱される、上記［１９］から［２１］のいずれか一項に記載の方法。
［２３］上記第２の水性組成物が、大気圧で加熱される、上記［１９］から［２１］のいずれか一項に記載の方法。
［２４］上記酸の濃度を増大させるステップが、膜脱水プロセスによって、逆浸透膜プロセスによって、またはいくらかの酸を添加することによって実施される、上記［１７］に記載の方法。
［２５］水を上記第２の水性組成物から除去するステップが、硫酸リチウム一水和物の沈殿を引き起こす、上記［１７］から［２４］のいずれか一項に記載の方法。
［２６］水を上記第２の水性組成物から除去するステップが、硫酸リチウム一水和物の実質的に選択的な沈殿を引き起こす、上記［１７］から［２４］のいずれか一項に記載の方法。
［２７］水を上記第２の水性組成物から除去するステップが、硫酸リチウム一水和物の結晶化を引き起こす、上記［１７］から［２４］のいずれか一項に記載の方法。
［２８］水を上記第２の水性組成物から除去することによって、上記第２の水性組成物中の酸の濃度を増大させ、それによって硫酸リチウムを実質的に選択的に沈殿させるステップを含む、上記［１］から［１６］のいずれか一項に記載の方法。
［２９］固液分離を実施して（例えば、約１５℃から約１３０℃、または約２５℃から約１２５℃の温度で）、上記硫酸リチウムを回収し、それによって上記硫酸リチウムおよび酸性組成物を得るステップをさらに含む、上記［２５］から［２８］のいずれか一項に記載の方法。
［３０］固液分離を実施して（例えば、約１５℃から約１３０℃、または約２５℃から約１２５℃の温度で）、上記硫酸リチウムを回収し、それによって、上記硫酸リチウム、およびリチウム含有材料と混合するために使用するのに有効な酸性水溶液を得るステップをさらに含む、上記［２５］から［２８］のいずれか一項に記載の方法。
［３１］上記プロセスが、硫酸リチウムを硫酸リチウム一水和物の形で上記第２の水性組成物から回収し、上記硫酸リチウムを上記電気膜プロセスで再使用するステップを含む、上記［１］から［３０］のいずれか一項に記載の方法。
［３２］上記酸がＨ２ＳＯ４である、上記［１］から［３１］のいずれか一項に記載の方法。
［３３］硫酸リチウムを含む電気膜プロセス水性組成物を処理するための方法であって、上記プロセスが、硫酸リチウム一水和物を実質的に選択的に沈殿させるのに適した条件下、水を上記電気膜プロセス水性組成物から除去するステップを含む方法。
［３４］水が、上記電気膜プロセス水性組成物を約１００℃から約１２５℃または約１００℃から約１３５℃の温度で加熱することによって除去される、上記［３３］に記載の方法。
［３５］上記第２の水性組成物が、大気圧で加熱される、上記［３４］に記載の方法。
［３６］上記酸の濃度を増大させるステップが、膜脱水プロセスによって実施される、上記［３３］に記載の方法。
［３７］固液分離を実施して（例えば、約１５℃から約１３０℃、または約２５℃から約１２５℃の温度で）、上記硫酸リチウムを回収し、それによって上記硫酸リチウムおよび酸性組成物を得るステップをさらに含む、上記［３３］から［３６］のいずれか一項に記載の方法。
［３８］固液分離を実施して（例えば、約１５℃から約１３０℃、または約２５℃から約１２５℃の温度で）、上記硫酸リチウムを回収し、それによって、上記硫酸リチウム、およびリチウム含有材料と混合するために使用するのに有効な酸性水溶液を得るステップをさらに含む、上記［３３］から［３６］のいずれか一項に記載の方法。
［３９］上記得られた硫酸リチウムを上記電気膜プロセスで再使用するステップをさらに含む、上記［３３］から［３８］のいずれか一項に記載の方法。
［４０］アルカリ含有材料からアルカリを抽出するための方法であって、アルカリ硫酸水素塩焙焼済みアルカリ含有材料を、アルカリ化合物を含む水性組成物を得るのに適した条件下で浸出させるステップを含む方法。
［４１］リチウム含有材料からリチウムを抽出するための方法であって、硫酸水素リチウム焙焼済みリチウム含有材料を、リチウム化合物を含む水性組成物を得るのに適した条件下で浸出させるステップを含む方法。
［４２］上記硫酸水素リチウム焙焼済みリチウム含有材料が、
上記リチウム含有材料を、硫酸水素リチウムを含む水性組成物と混合し、それによって混合物を得るステップと、
上記混合物を、上記硫酸水素リチウム焙焼済みリチウム含有材料を得るのに適した条件下で焙焼するステップと
を含む方法によって調製される、上記［３９］に記載の方法。
［４３］硫酸水素リチウムを含む上記水性組成物中の上記硫酸水素リチウムと、上記リチウム含有材料中のリチウムとのモル比が、約０．５：１から約４：１である、上記［４０］に記載の方法。
［４４］硫酸水素リチウムを含む上記水性組成物が、硫酸をさらに含む、上記［４１］から［４３］のいずれか一項に記載の方法。
［４５］硫酸水素リチウムを含む上記水性組成物中の上記硫酸と、上記リチウム含有材料中のリチウムとのモル比が、約０．５：１から約４：１である、上記［４４］に記載の方法。
［４６］上記硫酸が、上記リチウム含有材料中のリチウムの量に対して約１０％から約４０％、約２０％から約４０％、または約５５％から約６０％、化学量論的に過剰に存在する、上記［４４］に記載の方法。
［４７］上記混合物が、約２００℃から約３２５℃の焙焼温度で焙焼される、上記［４２］から［４６］のいずれか一項に記載の方法。
［４８］上記混合物が、約１０分から約２４時間にわたり、上記焙焼温度で焙焼される、上記［４２］から［４７］のいずれか一項に記載の方法。
［４９］上記リチウム含有材料が、リチウム含有鉱である、上記［４１］から［４８］のいずれか一項に記載の方法。
［５０］上記リチウム含有鉱が、β−リシア輝石またはジャダライトを含む、上記［４９］に記載の方法。
［５１］上記硫酸水素リチウム焙焼済みリチウム含有材料が水で浸出されて、上記リチウム化合物を含む上記水性組成物が得られる、上記［４１］から［５０］のいずれか一項に記載の方法。
［５２］上記リチウム含有材料が、浸出可能な金属不純物をさらに含み、リチウム化合物を含む上記水性組成物が、上記浸出可能な金属不純物の少なくとも一部を、リチウム化合物を含む上記水性組成物から除去するのに適した条件下でさらに処理される、上記［４１］から［５１］のいずれか一項に記載の方法。
［５３］リチウム化合物を含む上記水性組成物が、硫酸リチウムおよび／または硫酸水素リチウムを含む水性組成物である、上記［４１］から［５２］のいずれか一項に記載の方法。
［５４］硫酸リチウムおよび／または硫酸水素リチウムを含む上記水性組成物が、硫酸リチウムを含む水性組成物である、上記［５３］に記載の方法。
［５５］水酸化リチウムを調製するための方法であって、
上記［４０］から［５４］のいずれか一項による、リチウム含有材料からリチウムを抽出するための方法によって、硫酸リチウムおよび／または硫酸水素リチウムを含む第１の水性組成物を得るステップと、
硫酸リチウムおよび／または硫酸水素リチウムを含む上記第１の水性組成物を、上記硫酸リチウムおよび／または硫酸水素リチウムから水酸化リチウムへの少なくとも部分的な変換に適した条件下、電気膜プロセスに供するステップと
を含む方法。
［５６］上記電気膜プロセス中、上記硫酸リチウムおよび／または硫酸水素リチウム組成物のｐＨが酸性である、上記［１］から［３９］および［５５］のいずれか一項に記載の方法。
［５７］上記電気膜プロセスが、２区画単極もしくは双極膜電気分解プロセス、３区画単極もしくは双極膜電気分解プロセス、または２区画単極もしくは双極膜電気分解プロセスと３区画単極もしくは双極膜電気分解プロセスとの組合せを含む、上記［１］から［３９］および［５５］のいずれか一項に記載の方法。
［５８］上記電気膜プロセスが、２区画単極または双極膜電気分解プロセスを含む、上記［５６］に記載の方法。
［５９］上記電気膜プロセスが、３区画単極または双極膜電気分解プロセスを含む、上記［５６］に記載の方法。
［６０］上記電気膜プロセスが、２区画単極または双極膜電気分解プロセスと３区画単極または双極膜電気分解プロセスとの組合せを含む、上記［５６］に記載の方法。
［６１］上記電気膜プロセスが、３区画単極または双極膜電気分解プロセスを含み、上記３区画単極または双極膜電気分解プロセス中に、上記ｐＨが、約２から約４の値で少なくとも実質的に維持される、上記［５６］に記載の方法。
［６２］上記電気膜プロセスが、２区画単極または双極膜電気分解プロセスを含み、上記硫酸リチウムおよび／または硫酸水素リチウムから水酸化リチウムへの変換は、上記硫酸リチウムおよび／または硫酸水素リチウム組成物の上記ｐＨが約０．１から約２．０、約０．２から約１．０、または約０．４から約１．０の値を有するまで進行する、上記［５６］に記載の方法。
［６３］上記電気膜プロセス中、上記硫酸リチウムおよび／または硫酸水素リチウム組成物のｐＨが塩基性である、上記［１］から［３９］および［５５］のいずれか一項に記載の方法。
［６４］上記電気膜プロセスが、２区画単極もしくは双極膜電気分解プロセス、３区画単極もしくは双極膜電気分解プロセス、または２区画単極もしくは双極膜電気分解プロセスと３区画単極もしくは双極膜電気分解プロセスとの組合せを含む、上記［６３］に記載の方法。
［６５］上記電気膜プロセスが、２区画単極または双極膜電気分解プロセスを含む、上記［６３］に記載の方法。
［６６］上記電気膜プロセスが、３区画単極または双極膜電気分解プロセスを含む、上記［６３］に記載の方法。
［６７］上記電気膜プロセスが、２区画単極または双極膜電気分解プロセスと３区画単極または双極膜電気分解プロセスとの組合せを含む、上記［６３］に記載の方法。
［６８］上記電気膜プロセスが、３区画単極または双極膜電気分解プロセスを含み、上記３区画単極または双極膜電気分解プロセス中、上記ｐＨが約１０から約１２の値でまたは約１０．５から約１２．５の値で少なくとも実質的に維持される、上記［６３］に記載の方法。
［６９］硫酸リチウムおよび／または硫酸水素リチウムを含む上記第１の水性組成物を、上記硫酸リチウムおよび／または硫酸水素リチウムから水酸化リチウムへの少なくとも部分的な変換に適した条件下、上記電気膜プロセスに供して、硫酸リチウムおよび／または硫酸水素リチウムを含む第２の水性組成物を得るステップと、
上記［４２］による方法において、硫酸水素リチウムを含む上記水性組成物として、硫酸リチウムおよび／または硫酸水素リチウムを含む上記第２の水性組成物を使用するステップと
を含む、上記［５５］から［６８］のいずれか一項に記載の方法。
［７０］硫酸リチウムおよび／または硫酸水素リチウムを含む上記第１の水性組成物を、硫酸リチウムおよび／または硫酸水素リチウムを含む第２の水性組成物を得るのに適した条件下、２区画単極または双極膜電気分解プロセスに供するステップと、
上記［４２］による方法において、硫酸水素リチウムを含む上記水性組成物として、硫酸リチウムおよび／または硫酸水素リチウムを含む上記第２の水性組成物を使用するステップと
を含む、上記［６９］に記載の方法。
［７１］硫酸リチウムおよび／または硫酸水素リチウムを含む上記第２の水性組成物中の上記硫酸水素リチウムと上記硫酸リチウムとのモル比が、少なくとも約３：２、少なくとも約９：１、少なくとも約１９：１、または少なくとも約９９：１である、上記［６９または７０］に記載の方法。
［７２］硫酸リチウムおよび／または硫酸水素リチウムを含む上記第２の水性組成物中の上記硫酸水素リチウムと上記硫酸リチウムとのモル比が、約３：２から約９９：１である、上記［６０］または［７０］に記載の方法。
［７３］硫酸リチウムおよび／または硫酸水素リチウムを含む上記第２の水性組成物が、硫酸水素リチウムを含み、上記方法が、硫酸リチウムおよび／または硫酸水素リチウムを含む上記第２の水性組成物の一部に、上記硫酸水素リチウムの少なくとも一部を硫酸リチウムに変換するのに適した条件下で塩基を添加するステップをさらに含む、上記［６９］から［７２］のいずれか一項に記載の方法。
［７４］上記塩基が、水酸化カルシウム、酸化カルシウム、および／または炭酸カルシウムを含む、上記［７３］に記載の方法。
［７５］上記電気膜プロセスが、２区画単極または双極膜電気分解プロセスを含み、上記２区画単極または双極膜電気分解プロセス中、電圧が、約４Ｖから約５Ｖの値で少なくとも実質的に維持される、上記［１］から［３９］および［５５］から［７４］のいずれか一項に記載の方法。
［７６］上記電気膜プロセスが、２区画単極または双極膜電気分解プロセスを含み、上記２区画単極または双極膜電気分解プロセス中、ＬｉＯＨ電流効率が、約６５％から約８５％の値で少なくとも実質的に維持される、上記［１］から［３９］および［５５］から［７４］のいずれか一項に記載の方法。
［７７］硫酸リチウムおよび／または硫酸水素リチウムを含む上記第１の水性組成物中のリチウム濃度が、溶液１リットル当たりリチウム約２０ｇから溶液１リットル当たりリチウム約４０ｇの値で、または溶液１リットル当たりリチウム約３０ｇから溶液１リットル当たりリチウム約３３ｇの値で、少なくとも実質的に維持される、上記［１］から［３９］および［５５］から［７６］のいずれか一項に記載の方法。
［７８］硫酸リチウムおよび／または硫酸水素リチウムを含む上記第２の水性組成物中のリチウム濃度が、溶液１リットル当たりリチウム約２０ｇから溶液１リットル当たりリチウム約４０ｇ、溶液１リットル当たりリチウム約１０ｇから溶液１リットル当たりリチウム約２０ｇ、溶液１リットル当たりリチウム約５ｇから溶液１リットル当たりリチウム約４０ｇ、または溶液１リットル当たりリチウム約１２ｇから溶液１リットル当たりリチウム約１８ｇの値で、少なくとも実質的に維持される、上記［１］から［３９］および［６９］から［７６］のいずれか一項に記載の方法。
［７９］上記電気膜プロセスが、２区画単極または双極膜電気分解プロセスを含み、上記２区画単極または双極膜電気分解プロセス中、上記水酸化リチウムは、約２Ｍから約７Ｍ、約２Ｍから約４Ｍ、または約２．５Ｍから約３．５Ｍの水酸化リチウム濃度で少なくとも実質的に維持される水溶液中で生成される、上記［１］から［３９］および［５５］から［６４］のいずれか一項に記載の方法。
［８０］上記電気膜プロセスが、２区画単極または双極膜電気分解プロセスを含み、上記２区画単極または双極膜電気分解プロセス中、上記水酸化リチウムは、約４０℃から約１００℃、または約６０℃から約１００℃の温度で少なくとも実質的に維持される水溶液中で生成される、上記［７９］に記載の方法。
［８１］水酸化リチウムを調製するための方法であって、
リチウム含有材料を、硫酸水素リチウムを含む水性組成物と混合し、それによって混合物を得るステップと、
上記混合物を、硫酸水素リチウム焙焼済みリチウム含有材料を得るのに適した条件下で焙焼するステップと、
上記硫酸水素リチウム焙焼済みリチウム含有材料を、硫酸リチウムおよび／または硫酸水素リチウムを含む第１の水性組成物を得るのに適した条件下で浸出させるステップと、
硫酸リチウムおよび／または硫酸水素リチウムを含む上記第１の水性組成物を、上記硫酸リチウムおよび／または硫酸水素リチウムから水酸化リチウムへの少なくとも部分的な変換に適した条件下、電気膜プロセスに供して、硫酸リチウムおよび／または硫酸水素リチウムを含む第２の水性組成物を得るステップと、
硫酸リチウムおよび／または硫酸水素リチウムを含む上記第２の水性組成物を、硫酸水素リチウムを含む上記水性組成物として使用して、上記リチウム含有材料と混合し、上記混合物を得るステップと
を含む方法。
［８２］硫酸水素リチウムを含む上記水性組成物中の上記硫酸水素リチウムと、上記リチウム含有材料中のリチウムとのモル比が、約０．５：１から約４：１である、上記［８１］に記載の方法。
［８３］硫酸水素リチウムを含む上記水性組成物中の上記硫酸水素リチウムと、上記リチウム含有材料中のリチウムとのモル比が、約１：１から約２：１である、上記［８１］に記載の方法。
［８４］硫酸水素リチウムを含む上記水性組成物が、硫酸をさらに含む、上記［８１］から［８３］のいずれか一項に記載の方法。
［８５］硫酸水素リチウムを含む上記水性組成物中の上記硫酸と、上記リチウム含有材料中のリチウムとのモル比が、約０．５：１から約４：１、約１：１から約２：１、または約１．１：１から約１．２５：１である、上記［８４］に記載の方法。
［８６］上記硫酸が、上記リチウム含有材料中のリチウムの量に対して約３０％から約１００％、化学量論的に過剰に存在する、上記［８５］に記載の方法。
［８７］上記硫酸が、上記リチウム含有材料中のリチウムの量に対して約５５％から約６０％、化学量論的に過剰に存在する、上記［８５］に記載の方法。
［８８］上記混合物が、約１５０℃から約４００℃、または約２００℃から約３５０℃の焙焼温度で焙焼される、上記［８１］から［８７］のいずれか一項に記載の方法。
［８９］上記混合物が、上記焙焼温度で、約１０分から約２４時間にわたり焙焼される、上記［８８］に記載の方法。
［９０］上記リチウム含有材料が、リチウム含有鉱である、上記［８１］から［８９］のいずれか一項に記載の方法。
［９１］上記リチウム含有鉱が、β−リシア輝石またはジャダライトを含む、上記［９０］に記載の方法。
［９２］上記リチウム含有鉱が、β−リシア輝石を含む、上記［９０］に記載の方法。
［９３］上記硫酸水素リチウム焙焼済みリチウム含有材料が水で浸出されて、硫酸リチウムおよび／または硫酸水素リチウムを含む上記第１の水性組成物が得られる、上記［８１］から［９２］のいずれか一項に記載の方法。
［９４］上記リチウム含有材料が、浸出可能な金属不純物をさらに含み、硫酸リチウムおよび／または硫酸水素リチウムを含む上記第１の水性組成物が、上記浸出可能な金属不純物の少なくとも一部を、硫酸リチウムおよび／または硫酸水素リチウムを含む上記第１の水性組成物から除去するのに適した条件下でさらに処理される、上記［８１］から［９３］のいずれか一項に記載の方法。
［９５］上記電気膜プロセス中、硫酸リチウムおよび／または硫酸水素リチウムを含む上記第１の水性組成物のｐＨが酸性である、上記［１］から［３９］および［９４］のいずれか一項に記載の方法。
［９６］上記電気膜プロセスが、２区画単極もしくは双極膜電気分解プロセス、３区画単極もしくは双極膜電気分解プロセス、または２区画単極もしくは双極膜電気分解プロセスと３区画単極もしくは双極膜電気分解プロセスとの組合せを含む、上記［９５］に記載の方法。
［９７］上記電気膜プロセスが、２区画単極または双極膜電気分解プロセスを含む、上記［９５］に記載の方法。
［９８］上記電気膜プロセスが、３区画単極または双極膜電気分解プロセスを含む、上記［９５］に記載の方法。
［９９］上記電気膜プロセスが、２区画単極または双極膜電気分解プロセスと３区画単極または双極膜電気分解プロセスとの組合せを含む、上記［９５］に記載の方法。
［１００］上記電気膜プロセスが、３区画単極または双極膜電気分解プロセスを含み、上記３区画単極または双極膜電気分解プロセス中に、上記ｐＨが、約２から約４の値で少なくとも実質的に維持される、上記［９５］に記載の方法。
［１０１］上記電気膜プロセスが、２区画単極または双極膜電気分解プロセスを含み、上記硫酸リチウムおよび／または硫酸水素リチウムから水酸化リチウムへの変換は、硫酸リチウムおよび／または硫酸水素リチウムを含む上記第１の水性組成物の上記ｐＨが、約０．１から約２．０、約０．２から約１．５、または約０．４から約１．０の値を有するまで進行する、上記［９５］に記載の方法。
［１０２］上記電気膜プロセス中、硫酸リチウムおよび／または硫酸水素リチウムを含む上記第１の水性組成物のｐＨが塩基性である、上記［１］から［３９］および［９５］のいずれか一項に記載の方法。
［１０３］上記電気膜プロセスが、２区画単極もしくは双極膜電気分解プロセス、３区画単極もしくは双極膜電気分解プロセス、または２区画単極もしくは双極膜電気分解プロセスと３区画単極もしくは双極膜電気分解プロセスとの組合せを含む、上記［１０２］に記載の方法。
［１０４］上記電気膜プロセスが、２区画単極または双極膜電気分解プロセスを含む、上記［１０２］に記載の方法。
［１０５］上記電気膜プロセスが、３区画単極または双極膜電気分解プロセスを含む、上記［１０２］に記載の方法。
［１０６］上記電気膜プロセスが、２区画単極または双極膜電気分解プロセスと３区画単極または双極膜電気分解プロセスとの組合せを含む、上記［１０２］に記載の方法。
［１０７］上記電気膜プロセスが、３区画単極または双極膜電気分解プロセスを含み、上記３区画単極または双極膜電気分解プロセス中、上記ｐＨが約１０から約１２の値でまたは約１０．５から約１２．５の値で少なくとも実質的に維持される、上記［１０２］に記載の方法。
［１０８］硫酸リチウムおよび／または硫酸水素リチウムを含む上記第１の水性組成物が、硫酸リチウムを含む水性組成物である、上記［８１］から［１０７］のいずれか一項に記載の方法。
［１０９］硫酸リチウムおよび／または硫酸水素リチウムを含む上記第１の水性組成物中の上記硫酸リチウムと上記硫酸水素リチウムとのモル比が、少なくとも約９：１、少なくとも約１９：１、または少なくとも約９９：１である、上記［８１］から［１０７］のいずれか一項に記載の方法。
［１１０］硫酸リチウムおよび／または硫酸水素リチウムを含む上記第２の水性組成物中の上記硫酸水素リチウムと上記硫酸リチウムとのモル比が、少なくとも約３：２、少なくとも約９：１、少なくとも約１９：１、または少なくとも約９９：１である、上記［８１］から［１０９］のいずれか一項に記載の方法。
［１１１］硫酸リチウムおよび／または硫酸水素リチウムを含む上記第２の水性組成物が、硫酸水素リチウムを含み、上記方法が、硫酸リチウムおよび／または硫酸水素リチウムを含む上記第２の水性組成物の一部に、上記硫酸水素リチウムの少なくとも一部を硫酸リチウムに変換するのに適した条件下で塩基を添加するステップをさらに含む、上記［８１］から［１１０］のいずれか一項に記載の方法。
［１１２］上記塩基が水酸化カルシウムを含む、上記［１１１］に記載の方法。
［１１３］上記電気膜プロセスが、２区画単極または双極膜電気分解プロセスを含み、上記２区画単極または双極膜電気分解プロセス中、電圧が、約４Ｖから約５Ｖの値で少なくとも実質的に維持される、上記［１］から［３９］および［８１］から［１１２］のいずれか一項に記載の方法。
［１１４］上記電気膜プロセスが、２区画単極または双極膜電気分解プロセスを含み、上記２区画単極または双極膜電気分解プロセス中、ＬｉＯＨ電流効率が、約３０から約５０％、約３０から約４０％、５０％から約９５％、約５５％から約９０％、または約６５％から約８５％の値で少なくとも実質的に維持される、上記［１］から［３９］および［８１］から［１１２］のいずれか一項に記載の方法。
［１１５］硫酸リチウムおよび／または硫酸水素リチウムを含む上記第１の水性組成物中のリチウム濃度が、溶液１リットル当たりリチウム約２０ｇから溶液１リットル当たりリチウム約４０ｇの値で、少なくとも実質的に維持される、上記［８１］から［１１４］のいずれか一項に記載の方法。
［１１６］硫酸リチウムおよび／または硫酸水素リチウムを含む上記第２の水性組成物中のリチウム濃度が、溶液１リットル当たりリチウム約２０ｇから溶液１リットル当たりリチウム約４０ｇ、溶液１リットル当たりリチウム約１０ｇから溶液１リットル当たりリチウム約２０ｇ、溶液１リットル当たりリチウム約５ｇから溶液１リットル当たりリチウム約４０ｇ、または溶液１リットル当たりリチウム約１２ｇから溶液１リットル当たりリチウム約１８ｇの値で、少なくとも実質的に維持される、上記［８１］から［１１５］のいずれか一項に記載の方法。
［１１７］上記電気膜プロセスが、２区画単極または双極膜電気分解プロセスを含み、上記２区画単極または双極膜電気分解プロセス中、上記水酸化リチウムは、約２Ｍから約７Ｍ、約２Ｍから約４Ｍ、または約２．５Ｍから約３．５Ｍの水酸化リチウム濃度で少なくとも実質的に維持される水溶液中で生成される、上記［８１］から［１１６］のいずれか一項に記載の方法。
［１１８］上記電気膜プロセスが、２区画単極または双極膜電気分解プロセスを含み、上記２区画単極または双極膜電気分解プロセス中、上記水酸化リチウムは、約３．０Ｍの水酸化リチウム濃度で少なくとも実質的に維持される水溶液中で生成される、上記［８１］から［１１６］のいずれか一項に記載の方法。
［１１９］上記電気膜プロセスが、２区画単極または双極膜電気分解プロセスを含み、上記２区画単極または双極膜電気分解プロセス中、上記水酸化リチウムは、約６０℃から約１００℃の温度で少なくとも実質的に維持される水溶液中で生成される、上記［１１７または１１８］に記載の方法。
［１２０］上記リチウム含有材料を、硫酸水素リチウムを含む上記水性組成物と混合し、それによって上記混合物を得るステップと、
上記混合物を、上記硫酸水素リチウム焙焼済みリチウム含有材料を得るのに適した条件下、焙焼するステップと、
上記硫酸水素リチウム焙焼済みリチウム含有材料を、硫酸リチウムおよび／または硫酸水素リチウムを含む上記第１の水性組成物を得るのに適した条件下、浸出させるステップと、
硫酸リチウムおよび／または硫酸水素リチウムを含む上記第１の水性組成物を精製するステップと、
硫酸リチウムおよび／または硫酸水素リチウムを含む上記精製された第１の水性組成物を、上記硫酸リチウムおよび／または硫酸水素リチウムから水酸化リチウムへの少なくとも部分的な変換に適した条件下、上記電気膜プロセスに供して、硫酸リチウムおよび／または硫酸水素リチウムを含む上記第２の水性組成物を得るステップと、
硫酸リチウムおよび／または硫酸水素リチウムを含む上記第２の水性組成物を、硫酸水素リチウムを含む上記水性組成物として使用して、上記リチウム含有材料と混合し、上記混合物を得るステップと
を含む、上記［８１］から［１１９］のいずれか一項に記載の方法。
［１２１］上記焙焼するステップおよび上記浸出させるステップが、単一装置内で実施される、上記［１］から［３９］および［４２］から［１２０］のいずれか一項に記載の方法。
［１２２］上記焙焼するステップが第１の装置内で実施され、上記浸出させるステップが第２の装置内で実施される、上記［１］から［３９］および［４２］から［１２０］のいずれか一項に記載の方法。
［１２３］硫酸リチウムおよび／または硫酸水素リチウムを含む上記第１の水性組成物を、約３０から約６０％の変換率で上記硫酸リチウムおよび／または硫酸水素リチウムから水酸化リチウムに部分変換するのに適した条件下で電気膜プロセスに供して、硫酸リチウムおよび／または硫酸水素リチウムを含む第２の水性組成物を得るステップと、硫酸リチウムおよび／または硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２４］硫酸リチウムおよび／または硫酸水素リチウムを含む上記第１の水性組成物を、約４０から約６０％の変換率で上記硫酸リチウムおよび／または硫酸水素リチウムから水酸化リチウムに部分変換するのに適した条件下で電気膜プロセスに供して、硫酸リチウムおよび／または硫酸水素リチウムを含む第２の水性組成物を得るステップと、硫酸リチウムおよび／または硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２５］硫酸リチウムおよび／または硫酸水素リチウムを含む上記第１の水性組成物を、約４５から約５５％の変換率で上記硫酸リチウムおよび／または硫酸水素リチウムから水酸化リチウムに部分変換するのに適した条件下で電気膜プロセスに供して、硫酸リチウムおよび／または硫酸水素リチウムを含む第２の水性組成物を得るステップと、硫酸リチウムおよび／または硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２６］硫酸リチウムおよび／または硫酸水素リチウムを含む上記第１の水性組成物を、約４０から約５０％の変換率で上記硫酸リチウムおよび／または硫酸水素リチウムから水酸化リチウムに部分変換するのに適した条件下で電気膜プロセスに供して、硫酸リチウムおよび／または硫酸水素リチウムを含む第２の水性組成物を得るステップと、硫酸リチウムおよび／または硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２７］硫酸リチウムを含む上記第１の水性組成物を、約３０から約６０％の変換率で上記硫酸リチウムから水酸化リチウムに部分変換するのに適した条件下で電気膜プロセスに供して、硫酸水素リチウムを含む第２の水性組成物を得るステップと、硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２８］硫酸リチウムを含む上記第１の水性組成物を、約４０から約６０％の変換率で上記硫酸リチウムから水酸化リチウムに部分変換するのに適した条件下で電気膜プロセスに供して、硫酸水素リチウムを含む第２の水性組成物を得るステップと、硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１２９］硫酸リチウムを含む上記第１の水性組成物を、約４５から約５５％の変換率で上記硫酸リチウムから水酸化リチウムに部分変換するのに適した条件下で電気膜プロセスに供して、硫酸水素リチウムを含む第２の水性組成物を得るステップと、硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１３０］硫酸リチウムを含む上記第１の水性組成物を、約４０から約５０％の変換率で上記硫酸リチウムから水酸化リチウムに部分変換するのに適した条件下で電気膜プロセスに供して、硫酸水素リチウムを含む第２の水性組成物を得るステップと、硫酸水素リチウムを含む上記第２の水性組成物を、硫酸水素リチウムを含む上記水性組成物として使用して、上記リチウム含有材料と混合し、上記混合物を得るステップとを含む、上記［１］から［１２２］のいずれか一項に記載の方法。
［１３１］上記電気膜プロセスが、２区画膜電気分解プロセスで実施される、上記［１］から［１３０］のいずれか一項に記載の方法。
［１３２］上記電気膜プロセスが、電気分解プロセスである、上記［１］から［１３０］のいずれか一項に記載の方法。
［１３３］上記電気膜プロセスが、電気透析プロセスである、上記［１］から［１３１］のいずれか一項に記載の方法。
本開示の態様によれば、リチウムをリチウム含有材料から抽出するための方法であって、硫酸水素リチウム焙焼済みリチウム含有材料を、リチウム化合物を含む水性組成物を得るのに適した条件下、浸出させるステップを含む方法が提供される。